(57)【要約】【課題】複雑な演算を用いることなく、主制御部から周辺部に送信されるデータが不正制御に利用されることを防止し且つ周辺部のＣＰＵの処理負荷を軽減する。【解決手段】主制御部は次回の認証に用いる次回の設定パターンをパターン情報から決定すると、該決定した次回の設定パターンに対応した認証値を認証値記憶手段から抽出する。主制御部は抽出した認証値が今回の設定パターンで設定されるように複数種類の認証情報を生成し、該複数種類の認証情報を中間部に送信する。一方、中間部は受信した複数種類の認証情報に設定されている認証データと複数の期待値とを比較して期待値と一致した認証データを有効と判定し、その判定結果と今回の設定パターンとが一致するか否かに基づいた主制御部の認証結果を示す中間認証結果データを周辺部に送信し且つ次回の設定パターンを特定する。一方、周辺部は中間部から受信した中間認証結果データに応じて所定の処理を行う。【選択図】図３
2012029777.tif 000002
【特許請求の範囲】
【請求項１】
制御コマンドを送信する主制御部と、中間部と、前記主制御部によって送信された制御コマンドに基づいて所定の処理を行う周辺部と、を備える遊技機において、
前記主制御部は、
前記主制御部の認証に用いる複数種類の認証情報の中で、前記複数種類の認証情報の各々に有効な認証値を設定する複数種類の設定パターンを示すパターン情報を記憶するパターン情報記憶手段と、
前記パターン情報が示す前記複数種類の設定パターンの各々と一対一に対応付けられた複数種類の認証値を記憶する認証値記憶手段と、
前記主制御部の次回の認証に用いる次回の前記設定パターンを前記パターン情報から決定する決定手段と、
前記決定した次回の設定パターンに対応付けられた前記認証値を前記認証値記憶手段から抽出する認証値抽出手段と、
前記抽出した認証値が予め決定された今回の前記設定パターンで設定されるように前記複数種類の認証情報を生成する認証情報生成手段と、
前記生成した複数種類の認証情報を前記中間部に送信する主制御側送信手段と、を備え、
前記中間部は、
前記複数種類の認証値の各々と一致し且つ前記複数種類の設定パターンの各々と一対一に対応付けられた期待値を複数記憶する期待値記憶手段と、
前記主制御部から前記複数種類の認証情報を受信する中間側受信手段と、
前記受信した複数種類の認証情報の各々に設定されている認証データと前記期待値記憶手段に記憶している複数の期待値とを比較して、前記期待値と一致した前記認証データを有効と判定する有効判定手段と、
前記有効判定手段の判定結果と予め特定された今回の前記設定パターンとが一致するか否かに基づいた前記主制御部の認証結果を示す中間認証結果データを生成する中間認証結果データ生成手段と、
前記生成した中間認証結果データを前記周辺部に送信する中間側送信手段と、
前記主制御部の認証が成立した場合に、前記認証値である前記認証データと一致した前記期待値に対応付けられた前記設定パターンを特定し、該特定した設定パターンを次回の設定パターンとする特定手段と、を備え、
前記周辺部は、
前記中間部から前記中間認証結果データを受信する周辺側受信手段と、
前記受信した中間認証結果データに応じて前記所定の処理を行う処理手段と、を備えることを特徴とする遊技機。
【請求項２】
前記設定パターンは、前記複数種類の認証情報に対して複数の有効な前記認証値の設定を示す構成を有し、
前記主制御部の認証情報生成手段は、前記次回の設定パターンに対応した前記認証値が、予め定められた前記認証情報に設定され且つ前記今回の設定パターンで設定されるように前記複数種類の認証情報を生成する手段であり、
前記中間部の特定手段は、予め定められた前記認証情報に設定された認証値と一致する前記期待値に対応付けられた前記設定パターンを特定し、該設定パターンを次回の設定パターンとする手段であることを特徴とする請求項１に記載の遊技機。
【請求項３】
制御コマンドを送信する主制御部と、中間部と、前記主制御部によって送信された制御コマンドに基づいて所定の処理を行う周辺部と、を備える遊技機において、
前記主制御部は、
前記主制御部の認証に用いる複数種類の認証情報の中で、前記複数種類の認証情報の各々に有効な認証値を設定する複数種類の設定パターンを示すパターン情報を記憶するパターン情報記憶手段と、
前記パターン情報が示す前記複数種類の設定パターンの各々と一対一に対応付けられた複数種類の認証値を記憶する認証値記憶手段と、
前記複数種類の認証値の中から認証値を無作為に選択する選択手段と、
前記選択した認証値が予め決定された今回の前記設定パターンで設定されるように前記複数種類の認証情報を生成する認証情報生成手段と、
前記生成した複数種類の認証情報を前記中間部に送信する主制御側送信手段と、
前記選択した認証値に対応付けられた前記設定パターンを、前記主制御部の次回の認証に用いる次回の前記設定パターンと決定する決定手段と、を備え、
前記中間部は、
前記複数種類の認証値の各々と一致し且つ前記複数種類の設定パターンの各々と一対一に対応付けられた期待値を複数記憶する期待値記憶手段と、
前記主制御部から前記複数種類の認証情報を受信する中間側受信手段と、
前記受信した複数種類の認証情報の各々に設定されている認証データと前記期待値記憶手段に記憶している複数の期待値とを比較して、前記期待値と一致した前記認証データを有効と判定する有効判定手段と、
前記有効判定手段の判定結果と予め特定された今回の前記設定パターンとが一致するか否かに基づいた前記主制御部の認証結果を示す中間認証結果データを生成する中間認証結果データ生成手段と、
前記生成した中間認証結果データを前記周辺部に送信する中間側送信手段と、
前記主制御部の認証が成立した場合に、前記認証値である前記認証データと一致した前記期待値に対応付けられた前記設定パターンを特定し、該特定した設定パターンを次回の設定パターンとする特定手段と、を備え、
前記周辺部は、
前記中間部から前記中間認証結果データを受信する周辺側受信手段と、
前記受信した中間認証結果データに応じて前記所定の処理を行う処理手段と、を備えることを特徴とする遊技機。
【請求項４】
前記設定パターンは、前記複数種類の認証情報に対して複数の有効な前記認証値の設定を示す構成を有し、
前記主制御部の認証情報生成手段は、前記選択した前記認証値が、予め定められた前記認証情報に設定され且つ前記今回の設定パターンで設定されるように前記複数種類の認証情報を生成する手段であり、
前記中間部の特定手段は、予め定められた前記認証情報に設定された認証値と一致する前記期待値に対応付けられた前記設定パターンを特定し、該設定パターンを次回の設定パターンとする手段であることを特徴とする請求項３に記載の遊技機。
【請求項５】
前記設定パターンは、前記複数種類の認証情報の全てに対して無効な前記認証データの設定を示す構成を有し、
前記今回の設定パターンが前記複数種類の認証情報の全てに対して前記無効な認証データの設定を示している場合、
前記主制御部の認証情報生成手段は、前記無効な認証データを前記複数種類の認証情報の各々に設定する手段であり、
前記主制御部の決定手段は、予め定められた初期の前記設定パターンを次回の設定パターンと決定する手段であり、そして、
前記中間部の特定手段は、前記予め定められた初期の前記設定パターンを次回の設定パターンと特定する手段であることを特徴とする請求項１〜４の何れか１項に記載の遊技機。
【請求項６】
前記設定パターンは、前記複数種類の認証情報の順番を規定する構成を有し、
前記認証情報生成手段は、前記複数種類の認証情報を前記設定パターンが示す順番で順次生成する手段であり、
前記主制御側送信手段は、前記複数種類の認証情報が生成された順番で前記中間部に送信する手段であることを特徴とする請求項１〜５の何れか１項に記載の遊技機。
【請求項７】
前記認証情報生成手段は、前記複数種類の認証情報を不規則な順番で生成する手段であり、
前記主制御側送信手段は、前記複数種類の認証情報が生成された順番で前記中間部に送信する手段であることを特徴とする請求項１〜５の何れか１項に記載の遊技機。
【請求項８】
中間部と周辺部とからなる周辺基板を備える遊技機に用いられ、前記遊技機における所定の処理を行わせる制御コマンドを前記周辺部に前記中間部を介して送信する主制御基板において、
前記主制御部の認証に用いる複数種類の認証情報の中で、前記複数種類の認証情報の各々に有効な認証値を設定する複数種類の設定パターンを示すパターン情報を記憶するパターン情報記憶手段と、
前記パターン情報が示す前記複数種類の設定パターンの各々と一対一に対応付けられた複数種類の認証値を記憶する認証値記憶手段と、
前記主制御部の次回の認証に用いる次回の前記設定パターンを前記パターン情報から決定する決定手段と、
前記決定した次回の設定パターンに対応付けられた前記認証値を前記認証値記憶手段から抽出する認証値抽出手段と、
前記抽出した認証値が予め決定された今回の前記設定パターンで設定されるように前記複数種類の認証情報を生成する認証情報生成手段と、
前記生成した複数種類の認証情報を前記中間部に送信する主制御側送信手段と、を備えることを特徴とする主制御基板。
【請求項９】
中間部と周辺部とからなる周辺基板を備える遊技機に用いられ、前記遊技機における所定の処理を行わせる制御コマンドを前記周辺部に前記中間部を介して送信する主制御基板において、
前記主制御部の認証に用いる複数種類の認証情報の中で、前記複数種類の認証情報の各々に有効な認証値を設定する複数種類の設定パターンを示すパターン情報を記憶するパターン情報記憶手段と、
前記パターン情報が示す前記複数種類の設定パターンの各々と一対一に対応付けられた複数種類の認証値を記憶する認証値記憶手段と、
前記複数種類の認証値の中から認証値を無作為に選択する選択手段と、
前記選択した認証値が予め決定された今回の前記設定パターンで設定されるように前記複数種類の認証情報を生成する認証情報生成手段と、
前記生成した複数種類の認証情報を前記中間部に送信する主制御側送信手段と、
前記選択した認証値に対応付けられた前記設定パターンを、前記主制御部の次回の認証に用いる次回の前記設定パターンと決定する決定手段と、を備えることを特徴とする主制御基板。
【請求項１０】
請求項８又は９に記載の主制御基板を備える遊技機に搭載されて、前記主制御基板によって送信された制御コマンドに基づいて所定の処理を行う周辺基板において、
前記中間部は、
前記複数種類の認証値の各々と一致し且つ前記複数種類の設定パターンの各々と一対一に対応付けられた期待値を複数記憶する期待値記憶手段と、
前記主制御部から前記複数種類の認証情報を受信する中間側受信手段と、
前記受信した複数種類の認証情報の各々に設定されている認証データと前記期待値記憶手段に記憶している複数の期待値とを比較して、前記期待値と一致した前記認証データを有効と判定する有効判定手段と、
前記有効判定手段の判定結果と予め特定された今回の前記設定パターンとが一致するか否かに基づいた前記主制御部の認証結果を示す中間認証結果データを生成する中間認証結果データ生成手段と、
前記生成した中間認証結果データを前記周辺部に送信する中間側送信手段と、
前記主制御部の認証が成立した場合に、前記認証値である前記認証データと一致した前記期待値に対応付けられた前記設定パターンを特定し、該特定した設定パターンを次回の設定パターンとする特定手段と、を備え、
前記周辺部は、
前記中間部から前記中間認証結果データを受信する周辺側受信手段と、
前記受信した中間認証結果データに応じて前記所定の処理を行う処理手段と、を備えることを特徴とする周辺基板。
【請求項１１】
制御コマンドを送信する主制御部と、中間部と、前記主制御部によって送信された制御コマンドに基づいて所定の処理を行う周辺部と、を備える遊技機の認証方法において、
前記主制御部は、
パターン情報記憶手段が記憶し且つ前記主制御部の認証に用いる複数種類の認証情報の中で前記複数種類の認証情報の各々に有効な認証値を設定する複数種類の設定パターンを示すパターン情報から、前記主制御部の次回の認証に用いる次回の前記設定パターンを決定する決定工程と、
前記パターン情報が示す前記複数種類の設定パターンの各々と一対一に対応付けられた複数種類の認証値を記憶する認証値記憶手段から、前記決定した次回の設定パターンに対応付けられた前記認証値を抽出する認証値抽出工程と、
前記抽出した認証値が予め決定された今回の前記設定パターンで設定されるように前記複数種類の認証情報を生成する認証情報生成工程と、
前記生成した複数種類の認証情報を前記中間部に送信する主制御側送信工程と、を備え、
前記中間部は、
前記主制御部から前記複数種類の認証情報を受信する中間側受信工程と、
前記複数種類の認証値の各々と一致し且つ前記複数種類の設定パターンの各々と一対一に対応付けられて期待値記憶手段に記憶された複数の期待値と前記受信した複数種類の認証情報の各々に設定されている認証データとを比較して、前記期待値と一致した前記認証データを有効と判定する有効判定工程と、
前記有効判定工程の判定結果と予め特定された今回の前記設定パターンとが一致するか否かに基づいた前記主制御部の認証結果を示す中間認証結果データを生成する中間認証結果データ生成工程と、
前記生成した中間認証結果データを前記周辺部に送信する中間側送信工程と、
前記主制御部の認証が成立した場合に、前記認証値である前記認証データと一致した前記期待値に対応付けられた前記設定パターンを特定し、該特定した設定パターンを次回の設定パターンとする特定工程と、を備え、
前記周辺部は、
前記中間部から前記中間認証結果データを受信する周辺側受信工程と、
前記受信した中間認証結果データに応じて前記所定の処理を行う処理工程と、を備えることを特徴とする遊技機の認証方法。
【請求項１２】
制御コマンドを送信する主制御部と、中間部と、前記主制御部によって送信された制御コマンドに基づいて所定の処理を行う周辺部と、を備える遊技機の認証方法において、
前記主制御部は、
前記主制御部の認証に用いる複数種類の認証情報の各々に有効な認証値を設定するパターン情報が示す複数種類の設定パターンの各々と一対一に対応付けられて、認証値記憶手段が記憶している複数種類の認証値の中から認証値を無作為に選択する選択工程と、
前記選択した認証値が予め決定された今回の前記設定パターンで設定されるように前記複数種類の認証情報を生成する認証情報生成工程と、
前記生成した複数種類の認証情報を前記中間部に送信する主制御側送信工程と、
前記選択した認証値に対応付けられた前記設定パターンを、前記主制御部の次回の認証に用いる次回の前記設定パターンと決定する決定工程と、を備え、
前記中間部は、
前記主制御部から前記複数種類の認証情報を受信する中間側受信工程と、
前記複数種類の認証値の各々と一致し且つ前記複数種類の設定パターンの各々と一対一に対応付けられて期待値記憶手段に記憶された複数の期待値と前記受信した複数種類の認証情報の各々に設定されている認証データとを比較して、前記期待値と一致した前記認証データを有効と判定する有効判定工程と、
前記有効判定工程の判定結果と予め特定された今回の前記設定パターンとが一致するか否かに基づいた前記主制御部の認証結果を示す中間認証結果データを生成する中間認証結果データ生成工程と、
前記生成した中間認証結果データを前記周辺部に送信する中間側送信工程と、
前記主制御部の認証が成立した場合に、前記認証値である前記認証データと一致した前記期待値に対応付けられた前記設定パターンを特定し、該特定した設定パターンを次回の設定パターンとする特定工程と、を備え、
前記周辺部は、
前記中間部から前記中間認証結果データを受信する周辺側受信工程と、
前記受信した中間認証結果データに応じて前記所定の処理を行う処理工程と、を備えることを特徴とする遊技機の認証方法。
【請求項１３】
制御コマンドを送信する主制御部と、中間部と、前記主制御部によって送信された制御コマンドに基づいて所定の処理を行う周辺部と、を備える遊技機の認証プログラムであって、
前記主制御部の第１コンピュータを、
パターン情報記憶手段が記憶し且つ前記主制御部の認証に用いる複数種類の認証情報の中で前記複数種類の認証情報の各々に有効な認証値を設定する複数種類の設定パターンを示すパターン情報から、前記主制御部の次回の認証に用いる次回の前記設定パターンを決定する決定手段と、
前記パターン情報が示す前記複数種類の設定パターンの各々と一対一に対応付けられた複数種類の認証値を記憶する認証値記憶手段から、前記決定した次回の設定パターンに対応付けられた前記認証値を抽出する認証値抽出手段と、
前記抽出した認証値が予め決定された今回の前記設定パターンで設定されるように前記複数種類の認証情報を生成する認証情報生成手段と、
前記生成した複数種類の認証情報を前記中間部に送信する主制御側送信手段として機能させ、
前記中間部の第２コンピュータを、
前記主制御部から前記複数種類の認証情報を受信する中間側受信手段と、
前記複数種類の認証値の各々と一致し且つ前記複数種類の設定パターンの各々と一対一に対応付けられて期待値記憶手段に記憶された複数の期待値と前記受信した複数種類の認証情報の各々に設定されている認証データとを比較して、前記期待値と一致した前記認証データを有効と判定する有効判定手段と、
前記有効判定手段の判定結果と予め特定された今回の前記設定パターンとが一致するか否かに基づいた前記主制御部の認証結果を示す中間認証結果データを生成する中間認証結果データ生成手段と、
前記生成した中間認証結果データを前記周辺部に送信する中間側送信手段と、
前記主制御部の認証が成立した場合に、前記認証値である前記認証データと一致した前記期待値に対応付けられた前記設定パターンを特定し、該特定した設定パターンを次回の設定パターンとする特定手段として機能させ、そして、
前記周辺部の第３コンピュータを、
前記中間部から前記中間認証結果データを受信する周辺側受信手段と、
前記受信した中間認証結果データに応じて前記所定の処理を行う処理手段として機能させるための遊技機の認証プログラム。
【請求項１４】
制御コマンドを送信する主制御部と、中間部と、前記主制御部によって送信された制御コマンドに基づいて所定の処理を行う周辺部と、を備える遊技機の認証プログラムであって、
前記主制御部の第１コンピュータを、
前記主制御部の認証に用いる複数種類の認証情報の各々に有効な認証値を設定するパターン情報が示す複数種類の設定パターンの各々と一対一に対応付けられて、認証値記憶手段が記憶している複数種類の認証値の中から認証値を無作為に選択する選択手段と、
前記選択した認証値が予め決定された今回の前記設定パターンで設定されるように前記複数種類の認証情報を生成する認証情報生成手段と、
前記生成した複数種類の認証情報を前記中間部に送信する主制御側送信手段と、
前記選択した認証値に対応付けられた前記設定パターンを、前記主制御部の次回の認証に用いる次回の前記設定パターンと決定する決定手段として機能させ、
前記中間部の第２コンピュータを、
前記主制御部から前記複数種類の認証情報を受信する中間側受信手段と、
前記複数種類の認証値の各々と一致し且つ前記複数種類の設定パターンの各々と一対一に対応付けられて期待値記憶手段に記憶された複数の期待値と前記受信した複数種類の認証情報の各々に設定されている認証データとを比較して、前記期待値と一致した前記認証データを有効と判定する有効判定手段と、
前記有効判定手段の判定結果と予め特定された今回の前記設定パターンとが一致するか否かに基づいた前記主制御部の認証結果を示す中間認証結果データを生成する中間認証結果データ生成手段と、
前記生成した中間認証結果データを前記周辺部に送信する中間側送信手段と、
前記主制御部の認証が成立した場合に、前記認証値である前記認証データと一致した前記期待値に対応付けられた前記設定パターンを特定し、該特定した設定パターンを次回の設定パターンとする特定手段として機能させ、そして、
前記周辺部の第３コンピュータを、
前記中間部から前記中間認証結果データを受信する周辺側受信手段と、
前記受信した中間認証結果データに応じて前記所定の処理を行う処理手段として機能させるための遊技機の認証プログラム。
【発明の詳細な説明】
【技術分野】
【０００１】
本発明は、複数の基板を備え、これらの基板間の通信の認証を行う遊技機、主制御基板、周辺基板、遊技機の認証方法及び認証プログラムに関する。
【背景技術】
【０００２】
従来、複数の基板を備えた遊技機において、これら各基板に対する不正を防止するための様々な技術が提案されている。複数の基板を備えた遊技機とは、たとえば、ぱちんこ遊技機などがある。ぱちんこ遊技機には、遊技機全体の動作を司る主制御基板と、遊技機の各部の動作をおこなう被制御基板（周辺基板）とを備えている。この主制御基板は、周辺基板に制御コマンドを含む制御信号を出力し、その他の周辺基板は、主制御基板から送信された制御信号にしたがって動作を実行する機能を備えている。
【０００３】
このような構成の遊技機の場合、主制御基板に対する不正としては、たとえば、正規の主制御基板を不正な制御基板に取り替えたり、主制御基板がおこなう処理を規定したプログラムコードを改ざんしたりといった手法がある。このような不正を防止するため、たとえば、主制御基板内に搭載されたＲＯＭに記録されているプログラムデータをＲＯＭチェッカによってチェックして、ＲＯＭの不正交換などを防止する技術が提案されている（たとえば、下記特許文献１参照。）。
【先行技術文献】
【特許文献】
【０００４】
【特許文献１】特開平１１−３３３１０８号公報
【発明の概要】
【発明が解決しようとする課題】
【０００５】
しかしながら、上述した従来技術を用いた場合、プログラムデータの改ざんは検知できるが、正規の主制御用基板と被制御基板との間に不正な制御基板が接続されてしまうと、この不正な制御基板から出力される不正な制御信号による不正制御を防止することができない。
【０００６】
図２４は、従来技術による不正防止技術の概要を示す説明図である。また、図２５は、不正な制御基板の挿入例を示す説明図である。図２４、２５を用いて不正な制御基板により不正制御について具体的に説明すると、図２４に示すように、通常、正規の主制御基板１５０１は、周辺基板１５０２に対して正規の制御信号ＲＳを出力して、周辺基板１５０２の動作を制御する。正規の主制御基板１５０１には、検査用ポート１５０３が設けられている。この検査用ポート１５０３から正規の主制御基板１５０１の内部に設けられたＲＯＭなどに記録されたプログラムデータを検査して、正規の主制御基板１５０１に不正がおこなわれていないかを検査する。
【０００７】
ところが、図２５に示すように、遊技機の不正制御をおこなうために、正規の主制御基板１５０１と周辺基板１５０２との間に不正な制御基板１６０１が挿入されてしまう場合がある。この不正な制御基板１６０１は、正規の主制御基板１５０１から出力された正規の制御信号ＲＳを破棄または無視し、替わりに不正な制御信号ＦＳを周辺基板１５０２に出力する。
【０００８】
従来技術の場合、周辺基板１５０２は、入力された信号が正規の制御信号ＲＳであるか不正な制御信号ＦＳであるかを判別することができない。したがって、周辺基板１５０２に不正な制御信号ＦＳが入力された場合には、不正操作を検出できず、不正な制御信号ＦＳの制御内容に応じた動作をおこなってしまうという問題があった。
【０００９】
また、検査用ポート１５０３は正規の主制御基板１５０１に設けられているため、検査用ポート１５０３を用いた検査をおこなっても、正規の主制御基板１５０１に対する検査結果が返ってしまう。したがって、検査用ポート１５０３を備えていても、不正な制御基板１６０１による不正制御を検知することができないという問題があった。
【００１０】
また、図２６は、信号切替回路による信号切り替えの概要を示す説明図である。図２６のように、不正な制御基板１６０１のなかには、不正な制御信号ＦＳを出力する不正なＣＰＵ１６０２に加えて、信号切替回路１６０３が搭載されていることがある。信号切替回路１６０３が搭載されている場合、不正な制御基板１６０１は、正規のＣＰＵ１５０４から出力される制御信号ＲＳの初期診断や検査動作時には、正規の制御信号ＲＳを出力させ、その他の動作時には、不正な制御信号ＦＳを出力させるように切り替えることができる。すなわち、信号切替回路１６０３によって検査用ポート１５０３を用いた検査や、ＣＰＵの動作診断をおこなう時だけ正規のＣＰＵ１５０４から出力された正規の制御信号ＲＳを出力させることができる。
【００１１】
そのため、周辺基板１５０２の制御とは異なるデータ、信号を別途用いて正規の主制御基板１５０１を認証し、不正な制御基板１６０１を検出する新たな認証方法が検討されている。しかしながら、例えば１つの認証用データや認証用信号を単独で正規の主制御基板１５０１から周辺基板１５０２に送信する認証方法では、不正解析者によって解析されやすいため、その解析を困難にする必用があった。また、送信する際に複雑な暗号化をしてしまうと、正規な主制御基板１５０１及び周辺基板１５０２の各々の処理が複雑化して処理負担が増加してしまうという問題が生じてしまう。
【００１２】
また、最近では、遊技の興趣向上を図るために、リーチや大当たり等の際に遊技者の視覚や聴覚に訴える演出が多様となる傾向にある。そのため、周辺部（周辺基板）側のＣＰＵに既存の処理の他に認証処理を実行させようとすると、ＣＰＵの処理負荷が増大して処理速度が低下してしまい、演出のための表示がスムーズに行われなかったり、最悪の場合には、認証処理自体を追加できなかったりするなどの問題があった。
【００１３】
この発明は、上述した従来技術による問題点を解消するため、複雑な演算を用いることなく、主制御部から周辺部に送信されるデータが不正制御に利用されることを防止し且つ周辺部のＣＰＵの処理負荷を軽減することができる遊技機、主制御基板、周辺基板、遊技機の認証方法および認証プログラムを提供することを目的とする。
【課題を解決するための手段】
【００１４】
本発明にかかる請求項１記載の遊技機は、制御コマンドを送信する主制御部と、中間部と、前記主制御部によって送信された制御コマンドに基づいて所定の処理を行う周辺部と、を備える遊技機において、前記主制御部は、前記主制御部の認証に用いる複数種類の認証情報の中で、前記複数種類の認証情報の各々に有効な認証値を設定する複数種類の設定パターンを示すパターン情報を記憶するパターン情報記憶手段と、前記パターン情報が示す前記複数種類の設定パターンの各々と一対一に対応付けられた複数種類の認証値を記憶する認証値記憶手段と、前記主制御部の次回の認証に用いる次回の前記設定パターンを前記パターン情報から決定する決定手段と、前記決定した次回の設定パターンに対応付けられた前記認証値を前記認証値記憶手段から抽出する認証値抽出手段と、前記抽出した認証値が予め決定された今回の前記設定パターンで設定されるように前記複数種類の認証情報を生成する認証情報生成手段と、前記生成した複数種類の認証情報を前記中間部に送信する主制御側送信手段と、を備え、前記中間部は、前記複数種類の認証値の各々と一致し且つ前記複数種類の設定パターンの各々と一対一に対応付けられた期待値を複数記憶する期待値記憶手段と、前記主制御部から前記複数種類の認証情報を受信する中間側受信手段と、前記受信した複数種類の認証情報の各々に設定されている認証データと前記期待値記憶手段に記憶している複数の期待値とを比較して、前記期待値と一致した前記認証データを有効と判定する有効判定手段と、前記有効判定手段の判定結果と予め特定された今回の前記設定パターンとが一致するか否かに基づいた前記主制御部の認証結果を示す中間認証結果データを生成する中間認証結果データ生成手段と、前記生成した中間認証結果データを前記周辺部に送信する中間側送信手段と、前記主制御部の認証が成立した場合に、前記認証値である前記認証データと一致した前記期待値に対応付けられた前記設定パターンを特定し、該特定した設定パターンを次回の設定パターンとする特定手段と、を備え、前記周辺部は、前記中間部から前記中間認証結果データを受信する周辺側受信手段と、前記受信した中間認証結果データに応じて前記所定の処理を行う処理手段と、を備えることを特徴とする。
【００１５】
上記請求項１に記載した本発明の遊技機によれば、主制御部は、複数種類の認証情報の各々に有効な認証値を設定する複数種類の設定パターンを示すパターン情報をパターン情報記憶手段に記憶し、該パターン情報が示す前記複数種類の設定パターンの各々と一対一に対応付けられた複数種類の認証値を認証値記憶手段に記憶している。そして、主制御部は、次回の認証に用いる次回の設定パターンを、予め定められた法則又はランダムにパターン情報から決定すると、該決定した次回の設定パターンに対応した認証値を認証値記憶手段から抽出する。主制御部は、抽出した認証値が予め決定された今回の設定パターンで設定されるように複数種類の認証情報を生成し、該複数種類の認証情報を中間部に送信する。一方、中間部は、主制御部が記憶している複数種類の認証値の各々と一致し且つ主制御部の複数種類の設定パターンの各々と一対一に対応付けられた期待値を期待値記憶手段に複数記憶している。そして、中間部は、主制御部から受信した複数種類の認証情報の各々に設定されている認証データと複数の期待値とを比較して、期待値と一致した認証データを有効と判定する。中間部は、その判定結果と予め特定された今回の設定パターンとが一致するか否かに基づいて主制御部を認証し、認証が成立したか否かを示す中間認証結果データを生成して周辺部に送信する。また、中間部は、主制御部の認証が成立した場合、認証値である認証データと一致した期待値に対応付けられた設定パターンを特定し、該特定パターンを次回の設定パターンとすることができる。一方、周辺部は、中間部から受信した中間認証結果データに応じて遊技機における所定の処理を行うことができる。
【００１６】
請求項２記載の発明は、請求項１に記載の遊技機において、前記設定パターンは、前記複数種類の認証情報に対して複数の有効な前記認証値の設定を示す構成を有し、前記主制御部の認証情報生成手段は、前記次回の設定パターンに対応した前記認証値が、予め定められた前記認証情報に設定され且つ前記今回の設定パターンで設定されるように前記複数種類の認証情報を生成する手段であり、前記中間部の特定手段は、予め定められた前記認証情報に設定された認証値と一致する前記期待値に対応付けられた前記設定パターンを特定し、該設定パターンを次回の設定パターンとする手段であることを特徴とする。
【００１７】
上記請求項２に記載した本発明の遊技機によれば、設定パターンが複数種類の認証情報に対して複数の有効な認証値の設定を示している場合、主制御部は予め定められた認証情報に、次回の設定パターンに対応した認証値が今回の設定パターンで設定されるように複数種類の認証情報を生成して中間部に送信する。そして、中間部は予め定められた認証情報に設定された認証値と一致する期待値に対応付けられた設定パターンを特定し、該設定パターンを次回の設定パターンとすることができる。
【００１８】
本発明にかかる請求項３記載の遊技機は、制御コマンドを送信する主制御部と、中間部と、前記主制御部によって送信された制御コマンドに基づいて所定の処理を行う周辺部と、を備える遊技機において、前記主制御部は、前記主制御部の認証に用いる複数種類の認証情報の中で、前記複数種類の認証情報の各々に有効な認証値を設定する複数種類の設定パターンを示すパターン情報を記憶するパターン情報記憶手段と、前記パターン情報が示す前記複数種類の設定パターンの各々と一対一に対応付けられた複数種類の認証値を記憶する認証値記憶手段と、前記複数種類の認証値の中から認証値を無作為に選択する選択手段と、前記選択した認証値が予め決定された今回の前記設定パターンで設定されるように前記複数種類の認証情報を生成する認証情報生成手段と、前記生成した複数種類の認証情報を前記中間部に送信する主制御側送信手段と、前記選択した認証値に対応付けられた前記設定パターンを、前記主制御部の次回の認証に用いる次回の前記設定パターンと決定する決定手段と、を備え、前記中間部は、前記複数種類の認証値の各々と一致し且つ前記複数種類の設定パターンの各々と一対一に対応付けられた期待値を複数記憶する期待値記憶手段と、前記主制御部から前記複数種類の認証情報を受信する中間側受信手段と、前記受信した複数種類の認証情報の各々に設定されている認証データと前記期待値記憶手段に記憶している複数の期待値とを比較して、前記期待値と一致した前記認証データを有効と判定する有効判定手段と、前記有効判定手段の判定結果と予め特定された今回の前記設定パターンとが一致するか否かに基づいた前記主制御部の認証結果を示す中間認証結果データを生成する中間認証結果データ生成手段と、前記生成した中間認証結果データを前記周辺部に送信する中間側送信手段と、前記主制御部の認証が成立した場合に、前記認証値である前記認証データと一致した前記期待値に対応付けられた前記設定パターンを特定し、該特定した設定パターンを次回の設定パターンとする特定手段と、を備え、前記周辺部は、前記中間部から前記中間認証結果データを受信する周辺側受信手段と、前記受信した中間認証結果データに応じて前記所定の処理を行う処理手段と、を備えることを特徴とする。
【００１９】
上記請求項３に記載した本発明の遊技機によれば、主制御部は、複数種類の認証情報の各々に有効な認証値を設定する複数種類の設定パターンを示すパターン情報をパターン情報記憶手段に記憶し、該パターン情報が示す前記複数種類の設定パターンの各々と一対一に対応付けられた複数種類の認証値を認証値記憶手段に記憶している。そして、主制御部は、複数種類の認証値の中から認証値を無作為に選択すると、該選択した認証値が予め決定された今回の設定パターンで設定されるように複数種類の認証情報を生成して中間部に送信する。そして、主制御部は、選択した認証値に対応付けられた設定パターンを、主制御部の次回の認証に用いる次回の設定パターンと決定する。一方、中間部は、主制御部が記憶している複数種類の認証値の各々と一致し且つ主制御部の複数種類の設定パターンの各々と一対一に対応付けられた期待値を期待値記憶手段に複数記憶している。そして、中間部は、主制御部から受信した複数種類の認証情報の各々に設定されている認証データと複数の期待値とを比較して、期待値と一致した認証データを有効と判定する。中間部は、その判定結果と予め特定された今回の設定パターンとが一致するか否かに基づいて主制御部を認証し、認証が成立したか否かを示す中間認証結果データを生成して周辺部に送信する。また、中間部は、主制御部の認証が成立した場合、認証値である認証データと一致した期待値に対応付けられた設定パターンを特定し、該特定パターンを次回の設定パターンとすることができる。一方、周辺部は、中間部から受信した中間認証結果データに応じて遊技機における所定の処理を行うことができる。
【００２０】
請求項４記載の発明は、請求項３に記載の遊技機において、前記設定パターンは、前記複数種類の認証情報に対して複数の有効な前記認証値の設定を示す構成を有し、前記主制御部の認証情報生成手段は、前記選択した前記認証値が、予め定められた前記認証情報に設定され且つ前記今回の設定パターンで設定されるように前記複数種類の認証情報を生成する手段であり、前記中間部の特定手段は、予め定められた前記認証情報に設定された認証値と一致する前記期待値に対応付けられた前記設定パターンを特定し、該設定パターンを次回の設定パターンとする手段であることを特徴とする。
【００２１】
上記請求項４に記載した本発明の遊技機によれば、設定パターンが複数種類の認証情報に対して複数の有効な認証値の設定を示している場合、主制御部は予め定められた認証情報に、複数種類の認証値の中から無作為に選択した認証値が、今回の設定パターンで設定されるように複数種類の認証情報を生成して中間部に送信する。そして、中間部は予め定められた認証情報に設定された認証値と一致する期待値に対応付けられた設定パターンを特定し、該設定パターンを次回の設定パターンとすることができる。
【００２２】
請求項５記載の発明は、請求項１〜４の何れか１項に記載の遊技機において、前記設定パターンは、前記複数種類の認証情報の全てに対して無効な前記認証データの設定を示す構成を有し、前記今回の設定パターンが前記複数種類の認証情報の全てに対して前記無効な認証データの設定を示している場合、前記主制御部の認証情報生成手段は、前記無効な認証データを前記複数種類の認証情報の各々に設定する手段であり、前記主制御部の決定手段は、予め定められた初期の前記設定パターンを次回の設定パターンと決定する手段であり、そして、前記中間部の特定手段は、前記予め定められた初期の前記設定パターンを次回の設定パターンと特定する手段であることを特徴とする。
【００２３】
上記請求項５に記載した本発明の遊技機によれば、設定パターンが複数種類の認証情報の全てに対して無効な認証データの設定を示している場合、主制御部は無効な認証データを複数種類の認証情報の各々に設定して複数種類の認証情報を生成して周辺部に送信する。そして、中間部は予め定められた初期の設定パターンを次回の設定パターンと特定することができる。
【００２４】
請求項６記載の発明は、請求項１〜５の何れか１項に記載の遊技機において、前記設定パターンは、前記複数種類の認証情報の順番を規定する構成を有し、前記認証情報生成手段は、前記複数種類の認証情報を前記設定パターンが示す順番で順次生成する手段であり、前記主制御側送信手段は、前記複数種類の認証情報が生成された順番で前記中間部に送信する手段であることを特徴とする。
【００２５】
上記請求項６に記載した本発明の遊技機によれば、設定パターンが前記複数種類の認証情報の順番を規定している場合、主制御部は複数種類の認証情報を設定パターンが示す順番で順次生成し、その順番で複数種類の認証情報を中間部に送信することができる。
【００２６】
請求項７記載の発明は、請求項１〜５の何れか１項に記載の遊技機において、前記認証情報生成手段は、前記複数種類の認証情報を不規則な順番で生成する手段であり、前記主制御側送信手段は、前記複数種類の認証情報が生成された順番で前記中間部に送信する手段であることを特徴とする。
【００２７】
上記請求項７に記載した本発明の遊技機によれば、主制御部は複数種類の認証情報を不規則な順番で生成すると、その順番で複数種類の認証情報を中間部に送信することができる。
【００２８】
本発明にかかる請求項８記載の主制御基板は、中間部と周辺部とからなる周辺基板を備える遊技機に用いられ、前記遊技機における所定の処理を行わせる制御コマンドを前記周辺部に前記中間部を介して送信する主制御基板において、前記主制御部の認証に用いる複数種類の認証情報の中で、前記複数種類の認証情報の各々に有効な認証値を設定する複数種類の設定パターンを示すパターン情報を記憶するパターン情報記憶手段と、前記パターン情報が示す前記複数種類の設定パターンの各々と一対一に対応付けられた複数種類の認証値を記憶する認証値記憶手段と、前記主制御部の次回の認証に用いる次回の前記設定パターンを前記パターン情報から決定する決定手段と、前記決定した次回の設定パターンに対応付けられた前記認証値を前記認証値記憶手段から抽出する認証値抽出手段と、前記抽出した認証値が予め決定された今回の前記設定パターンで設定されるように前記複数種類の認証情報を生成する認証情報生成手段と、前記生成した複数種類の認証情報を前記中間部に送信する主制御側送信手段と、を備えることを特徴とする。
【００２９】
上記請求項８に記載した本発明の主制御基板によれば、主制御基板は、複数種類の認証情報の各々に有効な認証値を設定する複数種類の設定パターンを示すパターン情報をパターン情報記憶手段に記憶し、該パターン情報が示す前記複数種類の設定パターンの各々と一対一に対応付けられた複数種類の認証値を認証値記憶手段に記憶している。そして、主制御基板は、次回の認証に用いる次回の設定パターンを、予め定められた法則又はランダムにパターン情報から決定すると、該決定した次回の設定パターンに対応した認証値を認証値記憶手段から抽出する。そして、主制御基板は、抽出した認証値が予め決定された今回の設定パターンで設定されるように複数種類の認証情報を生成し、該複数種類の認証情報を周辺基板の中間部に送信することができる。
【００３０】
本発明にかかる請求項９記載の主制御基板は、中間部と周辺部とからなる周辺基板を備える遊技機に用いられ、前記遊技機における所定の処理を行わせる制御コマンドを前記周辺部に前記中間部を介して送信する主制御基板において、前記主制御部の認証に用いる複数種類の認証情報の中で、前記複数種類の認証情報の各々に有効な認証値を設定する複数種類の設定パターンを示すパターン情報を記憶するパターン情報記憶手段と、前記パターン情報が示す前記複数種類の設定パターンの各々と一対一に対応付けられた複数種類の認証値を記憶する認証値記憶手段と、前記複数種類の認証値の中から認証値を無作為に選択する選択手段と、前記選択した認証値が予め決定された今回の前記設定パターンで設定されるように前記複数種類の認証情報を生成する認証情報生成手段と、前記生成した複数種類の認証情報を前記中間部に送信する主制御側送信手段と、前記選択した認証値に対応付けられた前記設定パターンを、前記主制御部の次回の認証に用いる次回の前記設定パターンと決定する決定手段と、を備えることを特徴とする。
【００３１】
上記請求項９に記載した本発明の主制御基板によれば、主制御基板は、複数種類の認証情報の各々に有効な認証値を設定する複数種類の設定パターンを示すパターン情報をパターン情報記憶手段に記憶し、該パターン情報が示す前記複数種類の設定パターンの各々と一対一に対応付けられた複数種類の認証値を認証値記憶手段に記憶している。そして、主制御基板は、複数種類の認証値の中から認証値を無作為に選択すると、該選択した認証値が予め決定された今回の設定パターンで設定されるように複数種類の認証情報を生成して周辺基板の中間部に送信することができる。そして、主制御基板は、選択した認証値に対応付けられた設定パターンを、主制御基板の次回の認証に用いる次回の設定パターンと決定することができる。
【００３２】
本発明にかかる請求項１０記載の周辺基板は、請求項８又は９に記載の主制御基板を備える遊技機に搭載されて、前記主制御基板によって送信された制御コマンドに基づいて所定の処理を行う周辺基板において、前記中間部は、前記複数種類の認証値の各々と一致し且つ前記複数種類の設定パターンの各々と一対一に対応付けられた期待値を複数記憶する期待値記憶手段と、前記主制御部から前記複数種類の認証情報を受信する中間側受信手段と、前記受信した複数種類の認証情報の各々に設定されている認証データと前記期待値記憶手段に記憶している複数の期待値とを比較して、前記期待値と一致した前記認証データを有効と判定する有効判定手段と、前記有効判定手段の判定結果と予め特定された今回の前記設定パターンとが一致するか否かに基づいた前記主制御部の認証結果を示す中間認証結果データを生成する中間認証結果データ生成手段と、前記生成した中間認証結果データを前記周辺部に送信する中間側送信手段と、前記主制御部の認証が成立した場合に、前記認証値である前記認証データと一致した前記期待値に対応付けられた前記設定パターンを特定し、該特定した設定パターンを次回の設定パターンとする特定手段と、を備え、前記周辺部は、前記中間部から前記中間認証結果データを受信する周辺側受信手段と、前記受信した中間認証結果データに応じて前記所定の処理を行う処理手段と、を備えることを特徴とする。
【００３３】
上記請求項１０に記載した本発明の周辺基板によれば、中間部は、主制御部が記憶している複数種類の認証値の各々と一致し且つ主制御部の複数種類の設定パターンの各々と一対一に対応付けられた期待値を期待値記憶手段に複数記憶している。そして、中間部は、主制御部から受信した複数種類の認証情報の各々に設定されている認証データと複数の期待値とを比較して、期待値と一致した認証データを有効と判定する。中間部は、その判定結果と予め特定された今回の設定パターンとが一致するか否かに基づいて主制御部を認証し、認証が成立したか否かを示す中間認証結果データを生成して周辺部に送信する。また、中間部は、主制御部の認証が成立した場合、認証値である認証データと一致した期待値に対応付けられた設定パターンを特定し、該特定パターンを次回の設定パターンとすることができる。一方、周辺部は、中間部から受信した中間認証結果データに応じて遊技機における所定の処理を行うことができる。
【００３４】
本発明にかかる請求項１１記載の遊技機の認証方法は、制御コマンドを送信する主制御部と、中間部と、前記主制御部によって送信された制御コマンドに基づいて所定の処理を行う周辺部と、を備える遊技機の認証方法において、前記主制御部は、パターン情報記憶手段が記憶し且つ前記主制御部の認証に用いる複数種類の認証情報の中で前記複数種類の認証情報の各々に有効な認証値を設定する複数種類の設定パターンを示すパターン情報から、前記主制御部の次回の認証に用いる次回の前記設定パターンを決定する決定工程と、前記パターン情報が示す前記複数種類の設定パターンの各々と一対一に対応付けられた複数種類の認証値を記憶する認証値記憶手段から、前記決定した次回の設定パターンに対応付けられた前記認証値を抽出する認証値抽出工程と、前記抽出した認証値が予め決定された今回の前記設定パターンで設定されるように前記複数種類の認証情報を生成する認証情報生成工程と、前記生成した複数種類の認証情報を前記中間部に送信する主制御側送信工程と、を備え、前記中間部は、前記主制御部から前記複数種類の認証情報を受信する中間側受信工程と、前記複数種類の認証値の各々と一致し且つ前記複数種類の設定パターンの各々と一対一に対応付けられて期待値記憶手段に記憶された複数の期待値と前記受信した複数種類の認証情報の各々に設定されている認証データとを比較して、前記期待値と一致した前記認証データを有効と判定する有効判定工程と、前記有効判定工程の判定結果と予め特定された今回の前記設定パターンとが一致するか否かに基づいた前記主制御部の認証結果を示す中間認証結果データを生成する中間認証結果データ生成工程と、前記生成した中間認証結果データを前記周辺部に送信する中間側送信工程と、前記主制御部の認証が成立した場合に、前記認証値である前記認証データと一致した前記期待値に対応付けられた前記設定パターンを特定し、該特定した設定パターンを次回の設定パターンとする特定工程と、を備え、前記周辺部は、前記中間部から前記中間認証結果データを受信する周辺側受信工程と、前記受信した中間認証結果データに応じて前記所定の処理を行う処理工程と、を備えることを特徴とする。
【００３５】
上記請求項１１に記載した本発明の遊技機の認証方法によれば、主制御部は、次回の認証に用いる次回の設定パターンを、予め定められた法則又はランダムにパターン情報から決定すると、該決定した次回の設定パターンに対応した認証値を認証値記憶手段から抽出する。主制御部は、抽出した認証値が予め決定された今回の設定パターンで設定されるように複数種類の認証情報を生成し、該複数種類の認証情報を中間部に送信する。一方、中間部は、主制御部から受信した複数種類の認証情報の各々に設定されている認証データと複数の期待値とを比較して、期待値と一致した認証データを有効と判定する。中間部は、その判定結果と予め特定された今回の設定パターンとが一致するか否かに基づいて主制御部を認証し、認証が成立したか否かを示す中間認証結果データを生成して周辺部に送信する。また、中間部は、主制御部の認証が成立した場合、認証値である認証データと一致した期待値に対応付けられた設定パターンを特定し、該特定パターンを次回の設定パターンとすることができる。一方、周辺部は、中間部から受信した中間認証結果データに応じて遊技機における所定の処理を行うことができる。
【００３６】
本発明にかかる請求項１２記載の遊技機の認証方法は、制御コマンドを送信する主制御部と、中間部と、前記主制御部によって送信された制御コマンドに基づいて所定の処理を行う周辺部と、を備える遊技機の認証方法において、前記主制御部は、前記主制御部の認証に用いる複数種類の認証情報の各々に有効な認証値を設定するパターン情報が示す複数種類の設定パターンの各々と一対一に対応付けられて、認証値記憶手段が記憶している複数種類の認証値の中から認証値を無作為に選択する選択工程と、前記選択した認証値が予め決定された今回の前記設定パターンで設定されるように前記複数種類の認証情報を生成する認証情報生成工程と、前記生成した複数種類の認証情報を前記中間部に送信する主制御側送信工程と、前記選択した認証値に対応付けられた前記設定パターンを、前記主制御部の次回の認証に用いる次回の前記設定パターンと決定する決定工程と、を備え、前記中間部は、前記主制御部から前記複数種類の認証情報を受信する中間側受信工程と、前記複数種類の認証値の各々と一致し且つ前記複数種類の設定パターンの各々と一対一に対応付けられて期待値記憶手段に記憶された複数の期待値と前記受信した複数種類の認証情報の各々に設定されている認証データとを比較して、前記期待値と一致した前記認証データを有効と判定する有効判定工程と、前記有効判定工程の判定結果と予め特定された今回の前記設定パターンとが一致するか否かに基づいた前記主制御部の認証結果を示す中間認証結果データを生成する中間認証結果データ生成工程と、前記生成した中間認証結果データを前記周辺部に送信する中間側送信工程と、前記主制御部の認証が成立した場合に、前記認証値である前記認証データと一致した前記期待値に対応付けられた前記設定パターンを特定し、該特定した設定パターンを次回の設定パターンとする特定工程と、を備え、前記周辺部は、前記中間部から前記中間認証結果データを受信する周辺側受信工程と、前記受信した中間認証結果データに応じて前記所定の処理を行う処理工程と、を備えることを特徴とする。
【００３７】
上記請求項１２に記載した本発明の遊技機の認証方法によれば、主制御部は、複数種類の認証値の中から認証値を無作為に選択すると、該選択した認証値が予め決定された今回の設定パターンで設定されるように複数種類の認証情報を生成して中間部に送信する。そして、主制御部は、選択した認証値に対応付けられた設定パターンを、主制御部の次回の認証に用いる次回の設定パターンと決定する。一方、中間部は、主制御部から受信した複数種類の認証情報の各々に設定されている認証データと複数の期待値とを比較して、期待値と一致した認証データを有効と判定する。中間部は、その判定結果と予め特定された今回の設定パターンとが一致するか否かに基づいて主制御部を認証し、認証が成立したか否かを示す中間認証結果データを生成して周辺部に送信する。また、中間部は、主制御部の認証が成立した場合、認証値である認証データと一致した期待値に対応付けられた設定パターンを特定し、該特定パターンを次回の設定パターンとすることができる。一方、周辺部は、中間部から受信した中間認証結果データに応じて遊技機における所定の処理を行うことができる。
【００３８】
本発明にかかる請求項１３記載の遊技機の認証プログラムは、制御コマンドを送信する主制御部と、中間部と、前記主制御部によって送信された制御コマンドに基づいて所定の処理を行う周辺部と、を備える遊技機の認証プログラムであって、前記主制御部の第１コンピュータを、パターン情報記憶手段が記憶し且つ前記主制御部の認証に用いる複数種類の認証情報の中で前記複数種類の認証情報の各々に有効な認証値を設定する複数種類の設定パターンを示すパターン情報から、前記主制御部の次回の認証に用いる次回の前記設定パターンを決定する決定手段と、前記パターン情報が示す前記複数種類の設定パターンの各々と一対一に対応付けられた複数種類の認証値を記憶する認証値記憶手段から、前記決定した次回の設定パターンに対応付けられた前記認証値を抽出する認証値抽出手段と、前記抽出した認証値が予め決定された今回の前記設定パターンで設定されるように前記複数種類の認証情報を生成する認証情報生成手段と、前記生成した複数種類の認証情報を前記中間部に送信する主制御側送信手段として機能させ、前記中間部の第２コンピュータを、前記主制御部から前記複数種類の認証情報を受信する中間側受信手段と、前記複数種類の認証値の各々と一致し且つ前記複数種類の設定パターンの各々と一対一に対応付けられて期待値記憶手段に記憶された複数の期待値と前記受信した複数種類の認証情報の各々に設定されている認証データとを比較して、前記期待値と一致した前記認証データを有効と判定する有効判定手段と、前記有効判定手段の判定結果と予め特定された今回の前記設定パターンとが一致するか否かに基づいた前記主制御部の認証結果を示す中間認証結果データを生成する中間認証結果データ生成手段と、前記生成した中間認証結果データを前記周辺部に送信する中間側送信手段と、前記主制御部の認証が成立した場合に、前記認証値である前記認証データと一致した前記期待値に対応付けられた前記設定パターンを特定し、該特定した設定パターンを次回の設定パターンとする特定手段として機能させ、そして、前記周辺部の第３コンピュータを、前記中間部から前記中間認証結果データを受信する周辺側受信手段と、前記受信した中間認証結果データに応じて前記所定の処理を行う処理手段として機能させるための遊技機の認証プログラムである。
【００３９】
上記請求項１３に記載した本発明の遊技機の認証プログラムによれば、主制御部の第１コンピュータは、次回の認証に用いる次回の設定パターンを、予め定められた法則又はランダムにパターン情報から決定すると、該決定した次回の設定パターンに対応した認証値を認証値記憶手段から抽出する。第１コンピュータは、抽出した認証値が予め決定された今回の設定パターンで設定されるように複数種類の認証情報を生成し、該複数種類の認証情報を中間部に送信する。一方、中間部の第３コンピュータは、主制御部から受信した複数種類の認証情報の各々に設定されている認証データと複数の期待値とを比較して、期待値と一致した認証データを有効と判定する。第３コンピュータは、その判定結果と予め特定された今回の設定パターンとが一致するか否かに基づいて主制御部を認証し、認証が成立したか否かを示す中間認証結果データを生成して周辺部に送信する。また、第３コンピュータは、主制御部の認証が成立した場合、認証値である認証データと一致した期待値に対応付けられた設定パターンを特定し、該特定パターンを次回の設定パターンとすることができる。一方、周辺部の第２コンピュータは、中間部から受信した中間認証結果データに応じて遊技機における所定の処理を行うことができる。
【００４０】
本発明にかかる請求項１４記載の遊技機の認証プログラムは、制御コマンドを送信する主制御部と、中間部と、前記主制御部によって送信された制御コマンドに基づいて所定の処理を行う周辺部と、を備える遊技機の認証プログラムであって、前記主制御部の第１コンピュータを、前記主制御部の認証に用いる複数種類の認証情報の各々に有効な認証値を設定するパターン情報が示す複数種類の設定パターンの各々と一対一に対応付けられて、認証値記憶手段が記憶している複数種類の認証値の中から認証値を無作為に選択する選択手段と、前記選択した認証値が予め決定された今回の前記設定パターンで設定されるように前記複数種類の認証情報を生成する認証情報生成手段と、前記生成した複数種類の認証情報を前記中間部に送信する主制御側送信手段と、前記選択した認証値に対応付けられた前記設定パターンを、前記主制御部の次回の認証に用いる次回の前記設定パターンと決定する決定手段として機能させ、前記中間部の第２コンピュータを、前記主制御部から前記複数種類の認証情報を受信する中間側受信手段と、前記複数種類の認証値の各々と一致し且つ前記複数種類の設定パターンの各々と一対一に対応付けられて期待値記憶手段に記憶された複数の期待値と前記受信した複数種類の認証情報の各々に設定されている認証データとを比較して、前記期待値と一致した前記認証データを有効と判定する有効判定手段と、前記有効判定手段の判定結果と予め特定された今回の前記設定パターンとが一致するか否かに基づいた前記主制御部の認証結果を示す中間認証結果データを生成する中間認証結果データ生成手段と、前記生成した中間認証結果データを前記周辺部に送信する中間側送信手段と、前記主制御部の認証が成立した場合に、前記認証値である前記認証データと一致した前記期待値に対応付けられた前記設定パターンを特定し、該特定した設定パターンを次回の設定パターンとする特定手段として機能させ、そして、前記周辺部の第３コンピュータを、前記中間部から前記中間認証結果データを受信する周辺側受信手段と、前記受信した中間認証結果データに応じて前記所定の処理を行う処理手段として機能させるための遊技機の認証プログラムである。
【００４１】
上記請求項１４に記載した本発明の遊技機の認証プログラムによれば、主制御部の第１コンピュータは、複数種類の認証値の中から認証値を無作為に選択すると、該選択した認証値が予め決定された今回の設定パターンで設定されるように複数種類の認証情報を生成して中間部に送信する。そして、第１コンピュータは、選択した認証値に対応付けられた設定パターンを、主制御部の次回の認証に用いる次回の設定パターンと決定する。一方、中間部の第２コンピュータは、主制御部から受信した複数種類の認証情報の各々に設定されている認証データと複数の期待値とを比較して、期待値と一致した認証データを有効と判定する。第２コンピュータは、その判定結果と予め特定された今回の設定パターンとが一致するか否かに基づいて主制御部を認証し、認証が成立したか否かを示す中間認証結果データを生成して周辺部に送信する。また、第２コンピュータは、主制御部の認証が成立した場合、認証値である認証データと一致した期待値に対応付けられた設定パターンを特定し、該特定パターンを次回の設定パターンとすることができる。一方、周辺部の第３コンピュータは、中間部から受信した中間認証結果データに応じて遊技機における所定の処理を行うことができる。
【発明の効果】
【００４２】
以上説明したように本発明によれば、複数種類の設定パターンと複数種類の認証値とを一対一に対応付けておき、主制御側が今回の設定パターンとなるように、次回の設定パターンに対応した認証値を設定して複数種類の認証情報を生成し、該複数種類の認証情報を中間部に送信するようにしたことから、中間部が複数種類の認証情報に設定された有効な認証値の設定パターンに基づいて主制御側の認証を行うことで、不正な解析者が複数種類の認証情報を解析するのは困難となり、不正な解析者が認証情報を不正に利用することを防止でき且つ不正解析者によってデータが不正に利用されたことを中間部で検知することができる。さらに、複数種類の認証情報の数を増やすことで、設定パターンの数も増やすことができるため、認証強度を高めることができる。また、中間部がその認証値に対応した設定パターンを期待値から特定して、次回の設定パターンとすることで、遊技機における設定パターンの切り替えを不正な解析者が解析するのをより一層困難とすることができる。さらに、複数種類の認証値は予め記憶しておくことができるため、認証情報の生成時に複雑な演算を行う必要がないため、主制御側の処理負担の増加を防止できる。また、中間部が主制御側に対する認証処理を行い、その中間認証結果を周辺側に送信するようにしたことから、周辺側は認証処理を行わずに中間認証結果を参照するだけで良いため、周辺側のＣＰＵの処理付加を軽減することができる。従って、複雑な演算を用いることなく、主制御側から周辺側に送信されるデータが不正制御に利用されることを防止し且つ周辺側のＣＰＵの処理負荷を軽減することができる。また、認証処理の複雑化を図っても、周辺側による演出処理に影響することはないため、セキュリティの向上及び遊技の興趣向上の双方を図ることができる。
【００４３】
また、上述した遊技機において、複数種類の認証情報に対して複数の有効な認証値の設定を可能としたことから、主制御側と中間部との間で用いる設定パターンの数を増加させることができるため、不正な解析者が複数種類の認証情報を解析するのはより一層困難となり、不正な解析者が認証情報を不正に利用することを防止でき且つ不正解析者によってデータが不正に利用されたことを中間部で検知することができる。しかも、周辺側は認証処理を行わずに中間認証結果を参照するだけで良いため、周辺側のＣＰＵの処理付加を軽減することができる。
【００４４】
さらに、上述した遊技機において、複数種類の認証情報の全てに対して無効な認証データの設定を可能とし、その場合は初期の設定パターンを次回の設定パターンとするようにしたことから、設定パターンの切り替えの解析をより一層困難とすることができるため、不正利用の防止且つ検知の精度向上を図ることができる。
【００４５】
また、上述した遊技機において、主制御側が設定パターンによって規定された複数種類の認証情報の順番で該複数種類の認証情報を中間部に送信するようにしたことから、中間部は複数種類の認証情報の各々に設定された認証データの有効、無効のパターンとその順番に基づいて主制御側の認証を行うことができるため、複雑な演算を用いることなく、認証精度の向上を図ることができる。
【００４６】
さらに、上述した遊技機において、主制御側が生成した複数種類の認証情報を不規則な順番で中間部に送信するようにしたことから、不正な解析者が複数種類の認証情報を解析するのはより一層困難となり、不正な解析者が認証情報を不正に利用することを防止でき且つ不正解析者によってデータが不正に利用されたことを中間部で検知することができる。
【図面の簡単な説明】
【００４７】
【図１】本発明のぱちんこ遊技機の遊技盤の一例を示す正面図である。
【図２】ぱちんこ遊技機の制御部の内部構成を示すブロック図である。
【図３】主制御基板および周辺基板の機能的構成を示すブロック図である。
【図４】主制御部による演出制御部の制御処理の一部を示すフローチャートである。
【図５】主制御部による演出制御部の制御処理の他の一部を示すフローチャートである。
【図６】大当たり関連コマンドの送信タイミングを示すタイミングチャートである。
【図７】演出制御部による図柄変動処理の手順を示すフローチャートである。
【図８】演出制御部による大当たり時処理の手順を示すフローチャートである。
【図９】ランプ制御部による図柄変動時のランプ制御処理の手順を示すフローチャートである。
【図１０】主制御部が出力する制御信号のデータフォーマットを模式的に示す説明図である。
【図１１】認証情報のデータフォーマットを示す説明図である。
【図１２】２種類の認証情報を用いる場合の例１を示す説明図である。
【図１３】２種類の認証情報を用いる場合の例２を示す説明図である。
【図１４】２種類の認証情報を用いる場合の例１を示す説明図である。
【図１５】認証値と設定パターンとの対応関係の一例を示す図である。
【図１６】認証値と期待値と設定パターンとの対応関係の一例を示す図である。
【図１７】主制御部による認証情報の送信手順を示すフローチャートである。
【図１８】中間部による認証情報の認証手順の一例を示すフローチャートである。
【図１９】周辺部による制御信号及び中間認証結果信号の受信手順を示すフローチャートである。
【図２０】複数種類の認証情報を用いた場合の認証処理手順例を示すフローチャートである。
【図２１】主制御基板および周辺基板の機能的構成２を示すブロック図である。
【図２２】主制御部による認証情報の送信手順２を示すフローチャートである。
【図２３】複数種類の認証情報を用いた場合の認証処理手順例２を示すフローチャートである。
【図２４】従来技術による不正防止技術の概要を示す説明図である。
【図２５】不正な制御基板の挿入例を示す説明図である。
【図２６】信号切替回路による信号切り替えの概要を示す説明図である。
【発明を実施するための形態】
【００４８】
以下に添付図面を参照して、本発明にかかる遊技機であるぱちんこ遊技機と、このぱちんこ遊技機に搭載されている複数の基板間（主制御基板および周辺基板）の制御信号に含まれる制御コマンドを認証する認証方法および認証プログラムに好適な実施の形態を詳細に説明する。
【００４９】
［実施例１］
（ぱちんこ遊技機の基本構成）
本発明のぱちんこ遊技機１００は、図１に示す遊技盤１０１を備えている。遊技盤１０１の下部位置に配置された発射部２９２（図２参照）の駆動によって発射された遊技球は、レール１０２ａ，１０２ｂ間を上昇して遊技盤１０１の上部位置に達した後、遊技領域１０３内を落下する。図示を省略するが、遊技領域１０３には、遊技球を各種の方向に向けて落下させる複数の釘が設けられている。遊技領域１０３には、遊技球の落下途中の位置に、遊技球の落下方向を変化させる風車や入賞口が配設されている。
【００５０】
遊技盤１０１の遊技領域１０３の中央部分には、図柄表示部１０４が配置されている。図柄表示部１０４としては、例えば液晶表示器（ＬＣＤ）が用いられる。なお、図柄表示部１０４としては、ＬＣＤに限らず、ＣＲＴ、複数のドラム、などを用いることができる。図柄表示部１０４の下方には、始動入賞させるための始動入賞口１０５が配設されている。図柄表示部１０４の左右には、それぞれ入賞ゲート１０６が配設されている。
【００５１】
入賞ゲート１０６は、落下する遊技球の通過を検出し、始動入賞口１０５を一定時間だけ開放させる抽選を行うために設けられている。図柄表示部１０４の側部や下方などには普通入賞口１０７が配設されている。普通入賞口１０７に遊技球が入賞すると、ぱちんこ遊技機１００は普通入賞時の賞球数（例えば１０個）の払い出しを行う。遊技領域１０３の最下部には、どの入賞口にも入賞しなかった遊技球を回収する回収口１０８が設けられている。
【００５２】
上述した図柄表示部１０４は、特定の入賞口に遊技球が入賞したとき（始動入賞時）に、複数の図柄の表示の変動を開始し、所定時間後に図柄の表示の変動を停止する。この停止時に特定図柄（例えば「７７７」など）に揃ったときに、ぱちんこ遊技機１００は大当たり状態となる。そして、ぱちんこ遊技機１００は、大当たり状態のとき、遊技盤１０１の下方に位置する大入賞口１０９を一定の期間開放させ、この期間開放を所定ラウンド（例えば１５ラウンドなど）繰り返し、大入賞口１０９に入賞した遊技球に対応した賞球数を払い出す。
【００５３】
ぱちんこ遊技機１００は、図２に示す制御部２００を備えている。制御部２００は、主制御部２０１と、中間部２０２Ａと、演出制御部２０２Ｂと、賞球制御部２０３と、を有している。主制御部２０１は本発明の主制御基板に相当している。中間部２０２Ａと演出制御部２０２Ｂとは周辺基板に一体に設けられる。そして、主制御部２０１は、ぱちんこ遊技機１００の遊技にかかる基本動作を制御する。中間部２０２Ａは、主制御部２０１から演出制御部２０２Ｂへの通信中継部として、主制御部２０１と演出制御部２０２Ｂとの間に介在し、主制御部２０１から受信したデータを演出制御部２０２Ｂに送信する。中間部２０２Ａは、主制御部２０１の認証を行い、その認証結果を演出制御部２０２Ｂに送信する。そして、演出制御部２０２Ｂは、遊戯中の演出動作を制御する。賞球制御部２０３は、払い出す賞球数を制御する。
【００５４】
主制御部２０１は、ＣＰＵ２１１と、ＲＯＭ２１２と、ＲＡＭ２１３と、インタフェース（Ｉ／Ｆ）２１４と、を有している。ＣＰＵ２１１は、ＲＯＭ２１２に記憶されたプログラムデータに基づき、遊技内容の進行に伴う基本処理を実行する。ＲＯＭ２１２は、プログラムデータ等を記憶する記憶領域を有している。ＲＡＭ２１３は、ＣＰＵ２１１の演算処理時におけるデータのワークエリアとして機能する。Ｉ／Ｆ２１４は、各検出部２２１〜２２４から各種データを受信するとともに、演出制御部２０２Ｂ及び賞球制御部２０３への各種データの送信を行う。主制御部２０１は、例えばいわゆる主制御基板によってその機能を実現する。
【００５５】
この主制御部２０１の入力側には、始動入賞口１０５に入賞した入賞球を検出する始動入賞口検出部２２１と、入賞ゲート１０６を通過した遊技球を検出するゲート検出部２２２と、普通入賞口１０７に入賞した遊技球を検出する普通入賞口検出部２２３と、大入賞口１０９に入賞した入賞球を検出する大入賞口検出部２２４と、がＩ／Ｆ２１４を介して電気的に接続されている。これらの検出部としては、近接スイッチなどを用いて構成できる。
【００５６】
この主制御部２０１の出力側には、大入賞口開閉部２２５が電気的に接続されており、主制御部２０１はこの大入賞口開閉部２２５の開閉を制御する。大入賞口開閉部２２５は、大当たり時に大入賞口１０９を一定期間開放する機能であり、ソレノイドなどを用いて構成できる。この大当たりは、生成した乱数（大当たり判定用乱数）に基づいて、所定の確率（例えば３００分の１など）で発生するよう予めプログラムされている。
【００５７】
中間部２０２Ａは、ＣＰＵ２３１と、ＲＯＭ２３２と、ＲＡＭ２３３と、インタフェース（Ｉ／Ｆ）２３４と、を有している。ＣＰＵ２３１は、ＲＯＭ２３２に記憶されたプログラムデータに基づき、主制御部２０１の認証に伴う処理を行う。ＲＯＭ２３２は、前記プログラムデータ等を記憶する記憶領域を有している。ＲＡＭ２３３は、ＣＰＵ２１１の演算処理時におけるデータのワークエリアとして機能する。Ｉ／Ｆ２３４は、主制御部２０１から各種データを受信するとともに、演出制御部２０２Ｂへの各種データの送信を行う。
【００５８】
演出制御部２０２Ｂは、主制御部２０１から各種の制御コマンドを含む制御信号を受け取り、このコマンドに基づいて、ＲＯＭ２４２に記憶されたプログラムデータを実行して遊技中における演出制御を行う。この演出制御部２０２Ｂは、ＣＰＵ２４１と、ＲＯＭ２４２と、ＲＡＭ２４３と、ＶＲＡＭ２４４と、インタフェース（Ｉ／Ｆ）２４５と、を有している。ＣＰＵ２４１は、ぱちんこ遊技機１００に対応した演出処理を実行する。ＲＡＭ２４３は、ＣＰＵ２４１の演出処理時におけるデータのワークエリアとして機能する。ＶＲＡＭ２４４は、図柄表示部１０４に表示させる画像データ等を記憶する。Ｉ／Ｆ２４５は、中間部２０２Ａからの各種データの受信およびランプ制御部２５１や音声制御部２５２への各種データの送信を行う。そして、演出制御部２０２Ｂは、中間部２０２Ａとともに同一の周辺基板で実現している。また、演出制御部２０２Ｂの出力側には、上述した図柄表示部（ＬＣＤ）１０４、ランプ制御部２５１、音声制御部２５２がＩ／Ｆ２４５を介して電気的に接続されている。ランプ制御部２５１はランプ２６１の点灯を制御する。また、音声制御部２５２はスピーカ２６２の音声等の出力を制御する。
【００５９】
賞球制御部２０３は、主制御部２０１から各種の制御コマンドを含む制御信号を受け取り、このコマンドに基づいて、ＲＯＭ２８２に記憶されたプログラムデータを実行して賞球制御を行う。この賞球制御部２０３は、ＣＰＵ２８１と、ＲＯＭ２８２と、ＲＡＭ２８３と、インタフェース（Ｉ／Ｆ）２８４と、を有している。ＣＰＵ２８１は、賞球制御の処理を実行する。ＲＡＭ２８３は、ＣＰＵ２８１の演算処理時におけるデータのワークエリアとして機能する。Ｉ／Ｆ２８４は、主制御部２０１からの各種データの受信および発射部２９２との各種データの送受信を行う。賞球制御部２０３は、例えばいわゆる賞球基板によってその機能を実現する。
【００６０】
賞球制御部２０３は、Ｉ／Ｆ２８４を介して接続される払出部２９１に対して、入賞時の賞球数を払い出す制御を行う。また、賞球制御部２０３は、発射部２９２に対する遊技球の発射の操作を検出し、発射部２９２における遊技球の発射を制御する。払出部２９１は、遊技球の貯留部から所定数を払い出すためのモータなどからなる。賞球制御部２０３は、この払出部２９１に対して、各入賞口（始動入賞口１０５、普通入賞口１０７、大入賞口１０９）に入賞した遊技球に対応した賞球数を払い出す制御を行う。
【００６１】
発射部２９２は、遊技のための遊技球を発射するものであり、遊技者による遊技操作を検出するセンサと、遊技球を発射させるソレノイドなどを備える。賞球制御部２０３は、発射部２９２のセンサにより遊技操作を検出すると、検出された遊技操作に対応してソレノイドなどを駆動させて遊技球を間欠的に発射させ、遊技盤１０１の遊技領域１０３に遊技球を送り出す。
【００６２】
上記構成の主制御部２０１と中間部２０２Ａ及び演出制御部２０２Ｂと賞球制御部２０３は、それぞれ異なるプリント基板（主制御基板、演出基板、賞球基板）に設けられる。そして、演出基板と賞球基板が本発明の周辺基板に相当している。
【００６３】
なお、ぱちんこ遊技機１００の基板の構成は、これに限らず、例えば、賞球制御部２０３を、主制御部２０１又は中間部２０２Ａ及び演出制御部２０２Ｂと同一のプリント基板上に設けるなどの種々異なる構成とすることができる。また、中間部２０２Ａと演出制御部２０２Ｂとは、同一のプリント基板で実現する構成に代えて、一方のプリント基板を他方のプリント基板に実装する構成、別体のプリント基板をケーブル等で電気的に接続する構成、等のように種々異なる実施形態とすることができる。
【００６４】
（主制御基板および周辺基板の機能的構成）
まず、図３を参照して、主制御部２０１としての機能を有する主制御基板３１０の機能的構成について説明する。主制御基板３１０は、周辺基板３３０を動作させるための制御コマンドを送信する機能部であり、データ記憶部３１１、決定部３１２、認証値抽出部３１４、認証情報生成部３１５、主制御側送信部３１６を有して構成している。そして、主制御基板３１０は、周辺基板３３０とは別の基板で形成されており、周辺基板３３０の中間部２０２Ａと通信可能なように電気的に接続されている。
【００６５】
データ記憶部３１１は、本発明のパターン情報記憶手段及び認証値記憶手段に相当し、パターン情報、複数種類の認証値、等の各種データを記憶している。データ記憶部３１１としては、例えば、主制御部２０１のＲＯＭ２１２、ＲＡＭ２１３（図２参照）の一部を用いることができる。また、データ記憶部３１１は、周辺部に送信した複数種類の認証情報を時系列的に記憶する記憶領域を有している。そして、複数種類の認証情報の数は、主制御基板３１０の１回の認証に用いる情報の数によって規定される。
【００６６】
パターン情報は、主制御部２０１（主制御基板３１０）の認証に用いる複数種類の認証情報の中で、複数種類の認証情報の各々に有効な認証値を設定する複数種類の設定パターンを示す情報となっている。例えば、パターン情報は、複数種類の認証情報の各々に対応した有効／無効を示すフラグデータを有するデータ構造、テーブル、等で実現する。そして、複数種類の認証値は、パターン情報が示す複数種類の設定パターンの各々と一対一に対応付けられている。複数種類の認証値の各々は、相異なるデータであり、例えば主制御部２０１のＲＯＭ２１２における複数種類の所定領域のチェックサム、予め定められた固有の値、等が挙げられる。
【００６７】
決定部３１２は、本発明の決定手段に相当し、主制御部２０１の次回の認証に用いる次回の設定パターンをパターン情報が示す複数種類の設定パターンの中から決定し、該決定した設定パターンを示す次回設定パターンデータをデータ記憶部３１１等に記憶する。決定部３１２は、次回の設定パターンを例えば乱数等を用いて不規則に決定することで、不正解析者によって不正に解析されるのを困難にしている。
【００６８】
認証値抽出部３１４は、本発明の認証値抽出手段に相当し、決定部３１２が決定した次回の設定パターンに対応付けられた認証値をデータ記憶部（認証値記憶手段）３１１から抽出し、該抽出した認証値をＲＡＭ２１３等に記憶する。そして、認証値抽出部３１４によって抽出された認証値が、今回の認証に用いる認証値となる。
【００６９】
認証情報生成部３１５は、本発明の認証情報生成手段に相当し、認証値抽出部３１４によって抽出された認証値が予め決定された今回の前記設定パターンで設定されるように複数種類の認証情報を生成する。そして、予め決定された今回の設定パターンは、認証情報生成部３１５の１回目の処理においては、予め定められた初期値である初期設定パターンとなり、２回目以降の処理においては、前回の処理で決定された次回の設定パターンとなる。
【００７０】
認証情報生成部３１５は、設定パターンが有効な認証値を設定すると示す認証情報に対しては、認証値抽出部３１４が抽出した認証値を認証データとして設定して認証情報を生成する。また、認証情報生成部３１５は、設定パターンが有効な認証値を設定しないと示す認証情報に対しては、有効な認証値とは異なる無効な値を認証データとして設定して認証情報を生成する。即ち、複数種類の認証情報の各々は、認証データを有する情報であり、その認証データは有効データ又は無効データとなっている。
【００７１】
主制御側送信部３１６は、本発明の主制御側送信手段に相当し、認証情報生成部３１５が生成した複数種類の認証情報を周辺基板３３０の中間部２０２Ａに送信する。主制御側送信部３１６は、周辺部２０２Ｂを制御する制御信号を周辺基板３３０の中間部２０２Ａに送信する。そして、本実施形態の主制御側送信部３１６は、例えば、主制御基板３１０から周辺基板３３０に送信される制御信号とは別の信号である認証情報信号として認証情報を周辺基板３３０の中間部２０２Ａに送信する。これにより、ぱちんこ遊技機１００において、制御信号と認証情報信号とを区別化している。
【００７２】
本発明のぱちんこ遊技機１００は、有効な認証値が設定された認証情報と無効な認証情報とを組み合わせて主制御基板３１０から周辺基板３３０の中間部２０２Ａに送信し、周辺基板３３０の中間部２０２Ａはその複数種類の認証情報の設定パターンに基づいて主制御基板３１０の認証を行う構成を採用している。よって、ぱちんこ遊技機１００は、複数種類の設定パターンを組み合わせて認証することで、セキュリティの向上を図るとともに、主制御部２０１から周辺基板３３０に単独で認証情報を送信しても、それが容易に解析されることを困難にすることができる。
【００７３】
続いて、上述した演出制御部２０２Ｂなどの周辺部としての機能を有する周辺基板３３０の機能的構成について説明する。図３に示すように、周辺基板３３０は、中間部２０２Ａと、周辺部（演出制御部）２０２Ｂと、を有して構成している。そして、周辺基板３３０は、中間部２０２Ａと周辺部２０２Ｂとが通信可能に構成されている。なお、本実施例では、中間部２０２Ａと演出制御部２０２Ｂを有する周辺基板３３０とした場合について説明するが、これに代えて、中間部２０２Ａと賞球制御部２０３を有する周辺基板とすることもできる。
【００７４】
次に、中間部２０２Ａは、中間側受信部３３１、中間側記憶部３３２、有効判定部３３３、中間認証結果データ生成部３３４、中間側送信部３３５、特定部３３６を有して構成している。
【００７５】
中間側受信部３３１は、本発明の中間側受信手段に相当し、主制御基板３１０によって送信された複数種類の認証情報等を受信する。本実施形態の中間側受信部３３１は、例えば、複数種類の認証情報の各々に対応した認証情報信号を受信することによって、認証情報を主制御基板３１０から受信する。また、中間側受信部３３１は、認証結果信号とは別に制御信号を主制御部２０１から受信すると、後述する中間側送信部３３５からそのまま周辺部２０２Ｂにその制御信号を送信する。
【００７６】
中間側記憶部３３２は、本発明の期待値記憶手段に相当している。中間側記憶部３３２は、上述した主制御基板３１０から受信すべき複数種類の認証値、即ち、主制御基板３１０のデータ記憶部３１１が記憶している複数種類の認証値の各々と一致する期待値を複数記憶している。これにより、周辺基板３３０の中間部２０２Ａは、認証情報に設定された認証データと期待値が一致していれば、認証データが正規の認証値である有効データと判定でき、また、認証情報に設定された認証データと期待値が一致していなければ、認証データが無効データと判定できる。
【００７７】
中間側記憶部３３２は、上述した複数の期待値の各々に、上述した複数種類の設定パターンの各々が一対一に対応付けて記憶している。中間側記憶部３３２は、例えば、複数種類の設定パターンを示す設定パターンデータを期待値に対応付けて記憶することで、期待値から設定パターンを特定することを可能としている。
【００７８】
中間側記憶部３３２は、主制御基板３１０から受信した複数種類の認証情報を関連付けて時系列的に記憶する記憶領域を有している。そして、中間側記憶部３３２は、認証値と一致した期待値に基づいて特定した、主制御基板３１０の次回の認証に用いる次回の設定パターンを示す次回設定パターンデータを記憶しており、後述する特定部３３６によって更新される。
【００７９】
有効判定部３３３は、本発明の有効判定手段に相当し、主制御基板３１０から受信した複数種類の認証情報の各々に設定されている認証データと中間側記憶部３３２に記憶している複数の期待値とを比較して、期待値と一致した認証データを有効と判定する。また、有効判定部３３３は、認証データと一致する期待値が存在しない場合、認証データを無効と判定する。そして、有効判定部３３３は、複数種類の認証情報の認証データの各々に対する有効、無効を示す判定結果を中間側記憶部３３２に記憶する。
【００８０】
中間認証結果データ生成部３３４は、本発明の中間認証結果データ生成手段に相当し、有効判定部３３３の判定結果と予め特定された今回の設定パターンとが一致するか否かに基づいて主制御基板３１０の認証を行う。中間認証結果データ生成部３３４は、複数種類の認証情報の各々に今回の設定パターン通りに有効データ、無効データが設定されている場合、正規の主制御基板３１０であると判定して認証成立とする。また、今回の設定パターン通りに設定されていない場合、不正な主制御基板３１０であると判定して、認証不成立とする。中間認証結果データ生成部３３４は、主制御基板３１０（主制御部）の認証が成立したか否かを示す中間認証結果データを生成する。即ち、中間認証結果データは、中間部２０２Ａが主制御部２０１を認証したか否かの認証結果を示している。
【００８１】
中間側送信部３３５は、本発明の中間側送信手段に相当し、中間認証結果データ生成部３３４が生成した中間認証結果データを周辺部２０２Ｂに送信する。そして、中間側送信部３３５は、中間認証結果データ生成部３３４が生成した中間認証結果データを中間認証結果信号として周辺部２０２Ｂに送信する。また、中間側送信部３３５は、主制御基板３１０から受信した制御信号を周辺部２０２Ｂに送信する。即ち、主制御部２０１は、制御信号を周辺部２０２Ｂに中間部２０２Ａを介して送信することになる。
【００８２】
特定部３３６は、本発明の特定手段に相当し、中間認証結果データ生成部３３４によって主制御基板３１０の認証が成立した場合、認証値である認証データと一致した期待値に対応付けられた設定パターンを、上述したパターン情報が示す複数種類の設定パターンの中から特定し、該特定した設定パターンを次回の設定パターンとして中間側記憶部３３２の次回設定パターンデータに設定する。
【００８３】
次に、周辺部２０２Ｂは、周辺側受信部３５１と、処理部３５２と、を有して構成している。
【００８４】
周辺側受信部３５１は、本発明の周辺側受信手段に相当し、周辺基板３３０の中間部２０２Ａによって送信された中間認証結果データ等を受信する。本実施形態の周辺側受信部３５１は、例えば、中間認証結果データが付加された中間認証結果信号を受信することによって、中間認証結果データを中間部２０２Ａから受信する。そして、周辺側受信部３５１は、制御信号を中間部２０２Ａから受信する。
【００８５】
処理部３５２は、本発明の処理手段に相当し、中間部２０２Ａから受信した中間認証結果データに応じてぱちんこ遊技機１００における所定の処理を行う。処理部３５２は、前記中間認証結果データが認証成立を示している場合、中間部２０２Ａから受信した制御信号が示す制御コマンドに対応した前記所定の処理を行い、また、認証不成立を示している場合は報知を行う。なお、前記所定の処理は、ぱちんこ遊技機１００における主制御部２０１からの制御コマンドに対応した処理であり、例えば、はずれ処理、大当たりリーチ処理、大当たり開始処理、大当たりラウンド処理、大当たり終了処理、等の処理が挙げられる。
【００８６】
なお、本実施形態では、中間部２０２Ａと周辺部２０２Ｂとの間で通信されるデータを暗号化せずに送信する構成で説明するが、上述した主制御基板３１０と中間部２０２Ａで説明したように、中間部２０２Ａと周辺部２０２Ｂとの間でもデータを暗号化して送信する構成とすることもできる。
【００８７】
また、本実施形態では、主制御基板３１０のＣＰＵ２１１が請求項中の第１コンピュータ、周辺基板３３０の中間部２０２ＡのＣＰＵ２３１が請求項中の第２コンピュータ、周辺基板３３０の演出制御部２０２ＢのＣＰＵ２４１が請求項中の第３コンピュータとして機能させる場合について説明する。そして、主制御基板３１０のＲＯＭ２１２は、前記第１コンピュータを請求項中の決定手段、認証値抽出手段、認証情報生成手段、主制御側送信手段、等の各種手段として機能させるための主制御側認証プログラムを記憶している。また、周辺基板３３０の中間部２０２ＡのＲＯＭ２３２は、前記第２コンピュータを請求項中の中間側受信手段、有効判定手段、中間認証結果データ生成手段、中間側送信手段、特定手段、等の各種手段として機能させるための中間側認証プログラムを記憶している。また、周辺基板３３０の周辺部２０２ＢのＲＯＭ２４２は、前記第３コンピュータを請求項中の周辺側受信手段、処理手段、等の各種手段として機能させるための周辺側認証プログラムを記憶している。即ち、主制御側認証プログラムと中間側認証プログラムと周辺側認証プログラムによって本発明の認証プログラムを構成している。
【００８８】
（ぱちんこ遊技機の基本動作）
上記構成によるぱちんこ遊技機１００の基本動作の一例を説明する。主制御部２０１は、各入賞口に対する遊技球の入賞状況を制御コマンドとして賞球制御部２０３に出力する。賞球制御部２０３は、主制御部２０１から出力された制御コマンドに応じて、入賞状況に対応した賞球数の払い出しを行う。
【００８９】
また、主制御部２０１は、始動入賞口１０５に遊技球が入賞するごとに、対応する制御コマンドを演出制御部２０２Ｂに出力し、演出制御部２０２Ｂは、図柄表示部１０４の図柄を変動表示させ、停止させることを繰り返す。そして、主制御部２０１は、大当たりの発生が決定しているときには、対応する制御コマンドを演出制御部２０２Ｂに出力し、演出制御部２０２Ｂは、所定の図柄で揃えて変動表示を停止させるとともに、大入賞口１０９を開放する制御を行う。演出制御部２０２Ｂは、大当たり発生期間中、および大当たり発生までの間のリーチ時や、リーチ予告時などには、図柄表示部１０４に対して、図柄の変動表示に加えて各種の演出表示を行う。このほか、各種役物に対して特定の駆動を行ったり、ランプ２６１の表示状態を補正するなどの演出を行う。
【００９０】
そして、主制御部２０１は、大当たり発生期間中に、大入賞口１０９を複数回開放させる。１回の開放が１ラウンドとして、例えば１５回のラウンドが繰り返し実行される。１ラウンドの期間は、遊技球が大入賞口１０９に例えば１０個入賞するまでの期間、あるいは所定期間（例えば３０秒）とされている。この際、賞球制御部２０３は、大入賞口１０９に対する遊技球１個の入賞当たり、例えば１５個の賞球数で払い出しを行う。ぱちんこ遊技機１００は、大当たり終了後、この大当たり状態を解除し、通常の遊技状態に復帰する。
【００９１】
（各制御部による処理の詳細）
次に、各制御部が行う各種処理の詳細について説明する。まず、主制御部２０１による演出制御部２０２Ｂの制御処理について説明する。なお、図４〜図９においては、演出制御部２０２Ｂの制御処理の手順を明確にするため、認証データおよび付随データについては考慮しないものとする。即ち、図４〜図９の説明において、「コマンドを送信する」とは、「当該コマンドを示すデータ（制御コマンドデータ）を含む制御信号を送信する」との意味であり、例えば認証データや付随データの有無は考慮しないものとする。
【００９２】
主制御部２０１は、図４に示すステップＳ４０１において、ぱちんこ遊技機１００の電源がオンされたか否かを判定する。主制御部２０１は、電源がオンされていないと判定した場合（Ｓ４０１：Ｎｏ）、この判定処理を繰り返すことで、ぱちんこ遊技機１００の電源がオンされるまで待機する。一方、主制御部２０１は、電源がオンされたと判定した場合（Ｓ４０１：Ｙｅｓ）、ステップＳ４０２の処理に移行する。
【００９３】
主制御部２０１は、ステップＳ４０２において、演出制御部２０２Ｂや賞球制御部２０３などの各周辺部に対して電源オンコマンドを送信し、ステップＳ４０３の処理に移行する。この処理によって電源オンコマンドが送信されると、演出制御部２０２Ｂは、ランプ制御部２５１や音声制御部２５２、図柄表示部１０４のそれぞれに対して電源オン時の演出用の制御コマンド（具体的には、ランプの点灯や音声の出力、デモストレーション（デモ）画面の表示などを指示する制御コマンド）を送信する。
【００９４】
主制御部２０１は、ステップＳ４０３において、ＲＯＭ２１２またはＲＡＭ２１３に記憶している未抽選入賞回数データを参照して、未抽選入賞回数が０回か否かを判別する。未抽選入賞回数とは、始動入賞口１０５に検出された入賞球の数（入賞回数）から、入賞球に対応する抽選が行われた回数（既抽選回数）を減じた数である。そして、主制御部２０１は、未抽選入賞回数が０回ではないと判定した場合（Ｓ４０３：Ｎｏ）、ステップＳ４１０の処理に移行する。一方、主制御部２０１は、未抽選入賞回数が０回であると判定した場合（Ｓ４０３：Ｙｅｓ）、ステップＳ４０４において、デモが開始されてから経過した時間を計測し、ステップＳ４０５の処理に移行する。
【００９５】
主制御部２０１は、デモが開始されてから所定時間が経過したか否かを判定する。主制御部２０１は、デモが開始されてから所定時間が経過していないと判定した場合（Ｓ４０５：Ｎｏ）、ステップＳ４０７の処理に移行する。一方、主制御部２０１は、デモが開始されてから所定時間が経過したと判定した場合（Ｓ４０５：Ｙｅｓ）、ステップＳ４０６において、演出制御部２０２Ｂに客待ちデモコマンドを送信し、ステップＳ４０７の処理に移行する。
【００９６】
主制御部２０１は、ステップＳ４０７において、始動入賞口検出部２２１によって入賞球が検出されたか否かを判定する。主制御部２０１は、入賞球が検出されていないと判定した場合（Ｓ４０７：Ｎｏ）、ステップＳ４０４の処理に戻り、一連の処理を繰り返す。一方、主制御部２０１は、入賞球が検出されたと判定した場合（Ｓ４０７：Ｙｅｓ）、ステップＳ４０８において、デモが開始されてから計測していた時間をクリアし、ステップＳ４０９において、未抽選入賞回数に１を加算し、ステップＳ４１０の処理に移行する。そして、主制御部２０１は、ステップＳ４１０において、大当たり判定用乱数を取得し、ステップＳ４１１において、未抽選入賞回数から１を減算し、図５に示すステップＳ４１２の処理に移行する。
【００９７】
主制御部２０１は、ステップＳ４１２において、大当たり判定用乱数が大当たり乱数であるか否かを判定する。主制御部２０１は、大当たり乱数であると判定した場合（Ｓ４１２：Ｙｅｓ）、ステップＳ４１３において、演出制御部２０２Ｂに大当たりリーチコマンド（図柄変動コマンド）を送信する。そして、主制御部２０１は、ステップＳ４１４において、図柄変動時間が経過したか否かを判定する。主制御部２０１は、図柄変動時間が経過していないと判定した場合（Ｓ４１４：Ｎｏ）、この判定処理を繰り返すことで、図柄変動時間が経過するのを待つ。一方、主制御部２０１は、図柄変動時間が経過したと判定した場合（Ｓ４１４：Ｙｅｓ）、ステップＳ４１５において、演出制御部２０２Ｂに図柄停止コマンドを送信し、ステップＳ４１６の処理に移行する。
【００９８】
主制御部２０１は、ステップＳ４１６において、演出制御部２０２Ｂに大当たり開始コマンドを送信し、続けて、ステップＳ４１７において、大当たり中の各ラウンドに対応するコマンド（大当たりコマンド）を演出制御部２０２Ｂに順次送信する。そして、主制御部２０１は、全てのラウンドの大当たりコマンドの送信が終了すると、ステップＳ４１８において、大当たり終了コマンドを演出制御部２０２Ｂに送信し、ステップＳ４２２の処理に移行する。
【００９９】
また、主制御部２０１は、ステップＳ４１２において、大当たり乱数ではないと判定した場合（Ｓ４１２：Ｎｏ）、ステップＳ４１９において、はずれリーチコマンド（図柄変動コマンド）を演出制御部２０２Ｂに送信し、ステップＳ４２０の処理に移行する。そして、主制御部２０１は、ステップＳ４２０において、図柄変動時間が経過したか否かを判定する。主制御部２０１は、図柄変動時間が経過していないと判定した場合（Ｓ４２０：Ｎｏ）、この判定処理を繰り返すことで、図柄変動時間の経過を待つ。一方、主制御部２０１は、図柄変動時間が経過したと判定した場合（Ｓ４２０：Ｙｅｓ）、ステップＳ４２１において、図柄停止コマンドを演出制御部２０２Ｂに送信し、ステップＳ４２２の処理に移行する。
【０１００】
主制御部２０１は、ステップＳ４２２において、ぱちんこ遊技機１００の電源がオフされたか否かを判定する。主制御部２０１は、電源がオフされていないと判定した場合（Ｓ４２２：Ｎｏ）、図４に示すステップＳ４０３の処理に戻り、一連の処理を繰り返す。一方、主制御部２０１は、電源がオフされたと判定した場合（Ｓ４２２：Ｙｅｓ）、ステップＳ４２３において、終了処理コマンドを演出制御部２０２Ｂに送信し、本フローチャートによる処理を終了する。
【０１０１】
次に、ぱちんこ遊技機１００における大当たり関連コマンド（大当たりリーチコマンド、大当たり開始コマンド、大当たりコマンド、大当たり終了コマンド）の主制御部２０１から演出制御部２０２Ｂに対する送信タイミングの一例を、図６の図面を参照して説明する。
【０１０２】
大当たりリーチコマンドは、実際に大当たりが発生するよりも頻繁に、且つランダムに送信される。また、大当たり開始コマンドは、実際に大当たりが発生した場合に、大当たり状態に移行する際に１度だけ送信される。また、大当たりコマンドは、大当たり状態に移行した後、ラウンド毎に継続的に送信される。また、大当たり終了コマンドは、大当たり状態の全てのラウンドが終了し、通常の状態に移行する際に１度だけ送信される。
【０１０３】
以下では、図柄変動時（大当たりリーチコマンド（図５のステップＳ４１３を参照）または、はずれリーチコマンド（図５のステップＳ４１９を参照）を受信した場合）及び、大当たり時の処理を説明する。
【０１０４】
まず、演出制御部（周辺部）２０２Ｂによる図柄変動処理について、図７に示すフローチャートを参照して説明する。演出制御部２０２Ｂは、図７に示すステップＳ７０１において、主制御部２０１から図柄変動コマンドを受信したか否かを判定する。演出制御部２０２Ｂは、図柄変動コマンドを受信していないと判定した場合（Ｓ７０１：Ｎｏ）、この判定処理を繰り返すことで、図柄変動コマンドの受信を待つ。一方、演出制御部２０２Ｂは、図柄変動コマンドを受信したと判定した場合（Ｓ７０１：Ｙｅｓ）、ステップＳ７０２において、変動演出選択用乱数を取得し、ステップＳ７０３において、取得した乱数に基づいて変動演出の種類を選択し、ステップＳ７０４の処理に移行する。そして、演出制御部２０２Ｂは、ステップＳ７０４において、ランプ制御部２５１や音声制御部２５２に対して変動演出別の演出開始コマンドを送信し、ステップＳ７０５の処理に移行する。
【０１０５】
演出制御部２０２Ｂは、ステップＳ７０５において、演出時間が経過したか否かを判定する。演出制御部２０２Ｂは、演出時間が経過したと判定した場合（Ｓ７０５：Ｙｅｓ）、ステップＳ７０７の処理に移行する。一方、演出制御部２０２Ｂは、演出時間が経過していないと判定した場合（Ｓ７０５：Ｎｏ）、ステップＳ７０６において、主制御部２０１から図柄停止コマンドを受信したか否かを判定する。そして、演出制御部２０２Ｂは、図柄停止コマンドを受信していないと判定した場合（Ｓ７０６：Ｎｏ）、ステップＳ７０５の処理に戻り、一連の処理を繰り返す。一方、演出制御部２０２Ｂは、図柄停止コマンドを受信したと判定した場合（Ｓ７０６：Ｙｅｓ）、ステップＳ７０７において、ランプ制御部２５１や音声制御部２５２に対して演出停止コマンドを送信し、本フローチャートによる処理を終了する。
【０１０６】
続いて、演出制御部２０２Ｂによる大当たり時処理について、図８に示すフローチャートを参照して説明する。演出制御部２０２Ｂは、図８に示すステップＳ８０１において、主制御部２０１から大当たり開始コマンド（図５のステップＳ４１６を参照）を受信したか否かを判定する。演出制御部２０２Ｂは、大当たり開始コマンドを受信していないと判定した場合（Ｓ８０１：Ｎｏ）、この判定処理を繰り返すことで、大当たり開始コマンドの受信を待つ。一方、演出制御部２０２Ｂは、大当たり開始コマンドを受信したと判定した場合（Ｓ８０１：Ｙｅｓ）、ステップＳ８０２において、ランプ制御部２５１や音声制御部２５２に対して大当たり開始処理コマンドを送信し、ステップＳ８０３の処理に移行する。
【０１０７】
演出制御部２０２Ｂは、ステップＳ８０３において、主制御部２０１からラウンド別の大当たりコマンド（図５のステップＳ４１７を参照）を受信したか否かを判定する。演出制御部２０２Ｂは、大当たりコマンドを受信していないと判定した場合（Ｓ８０３：Ｎｏ）、この判定処理を繰り返すことで、大当たりコマンドの受信を待つ。一方、演出制御部２０２Ｂは、大当たりコマンドを受信したと判定した場合（Ｓ８０３：Ｙｅｓ）、ステップＳ８０４において、ランプ制御部２５１や音声制御部２５２に対して受信したラウンド別の大当たりコマンドに対応するラウンド別処理コマンドを送信し、ステップＳ８０５の処理に移行する。
【０１０８】
演出制御部２０２Ｂは、ステップＳ８０５において、主制御部２０１から大当たり終了コマンド（図５のステップＳ４１８を参照）を受信したか否かを判定する。演出制御部２０２Ｂは、大当たり終了コマンドを受信していないと判定した場合（Ｓ８０５：Ｎｏ）、この判定処理を繰り返すことで、大当たり終了コマンドの受信を待つ。一方、演出制御部２０２Ｂは、大当たり終了コマンドを受信したと判定した場合（Ｓ８０５：Ｙｅｓ）、ステップＳ８０６において、ランプ制御部２５１や音声制御部２５２に対して大当たり終了処理コマンドを送信し、本フローチャートによる処理を終了する。
【０１０９】
続いて、ランプ制御部２５１によるランプ制御処理について、図９に示すフローチャートを参照して説明する。ここでは、演出制御部２０２Ｂから演出開始コマンドを受信した場合（図柄変動時）の処理について説明する。そして、ランプ制御部２５１は、図９に示すステップＳ９０１において、演出制御部２０２Ｂから演出開始コマンドを受信したか否かを判定する。ランプ制御部２５１は、演出開始コマンドを受信していないと判定した場合（Ｓ９０１：Ｎｏ）、この判定処理を繰り返すことで、演出開始コマンドの受信を待つ。一方、ランプ制御部２５１は、演出開始コマンドを受信したと判定した場合（Ｓ９０１：Ｙｅｓ）、ステップＳ９０２において、コマンド別に予め用意されているコマンド別データを読み出し、ステップＳ９０３の処理に移行する。
【０１１０】
ランプ制御部２５１は、ステップＳ９０３において、コマンド別の選択ルーチンを実行し、ステップＳ９０４において、受信した演出開始コマンドに対応したランプデータをセットし、ステップＳ９０５において、ランプ２６１に対してランプデータを出力し、ステップＳ９０６の処理に移行する。そして、この処理によってランプ２６１は、ランプデータに基づいて点灯又は消灯する。
【０１１１】
ランプ制御部２５１は、ステップＳ９０６において、演出制御部２０２Ｂから演出停止コマンドを受信したか否かを判定する。ランプ制御部２５１は、演出停止コマンドを受信していないと判定した場合（Ｓ９０６：Ｎｏ）、この判定処理を繰り返すことで、演出停止コマンドの受信を待つ。一方、ランプ制御部２５１は、演出停止コマンドを受信したと判定した場合（Ｓ９０６：Ｙｅｓ）、ステップＳ９０７において、ランプデータの出力を停止し、本フローチャートによる処理を終了する。
【０１１２】
なお、図９にはランプ制御部２５１の処理を記載したが、音声制御部２５２による音声制御も、図９の処理とほぼ同様である。音声制御部２５２による音声制御処理は、例えば、図９の処理において、ステップＳ９０４、Ｓ９０５、Ｓ９０７の「ランプデータ」を「音声データ」と読み替えればよい。
【０１１３】
（制御信号のデータフォーマット）
次に、主制御部２０１が出力する通常の制御信号の一例を説明する。
【０１１４】
図１０において、通常の制御信号１０１０は、制御コマンドデータ１００１と付随データ１００２とを有している。制御コマンドデータ１００１は、例えばリーチコマンドや大当たり開始コマンド、ラウンド別コマンドなどの各コマンド固有のデータである。また、付随データ１００２は、制御コマンドデータ１００１に付随するデータであり、例えば、入賞した遊技球の数などの制御コマンドデータ１００１に基づく処理に必要なデータである。
【０１１５】
（認証情報のデータフォーマット）
次に、上述した制御信号１０１０とは異なる認証情報信号が認証情報を有する場合の一例を説明する。なお、本実施形態では、主制御部２０１が中間部２０２Ａに認証情報信号を出力することで、認証情報を主制御部２０１から中間部２０２Ａに送信する場合を前提に説明する。
【０１１６】
図１１において、認証情報１０２０は、識別部１０２１と、データ部１０２２と、を有して構成している。そして、識別部１０２１は、認証情報１０２０を識別することが可能な識別データが設定される。識別データの一例としては、相異なる複数種類の認証コマンドが挙げられ、例えば１６進数の０ｘＡ０、０ｘＢ０、等の値が設定される。これにより、中間部２０２Ａは、識別部１０２１に基づいて複数種類の認証情報１０２０の各々の識別することができる。そして、認証コマンドは、上述した制御コマンドデータ１００１の制御コマンドと異なるコマンドとすることで、制御コマンドデータ１００１との区別化を図ることができる。
【０１１７】
データ部１０２２は、上述した設定パターンに基づいて、主制御部２０１の認証に用いる有効な認証値又は無効な値の何れか一方の認証データが設定される。そして、認証データは、有効なデータを有効データとし、無効なデータを無効データとしている。また、有効データは、複数の認証コマンドに設定する場合、例えば、全てに認証値を設定する、予め定められた認証コマンドに対してのみ認証値を設定し且つ他の認証コマンドに対しては他の認証値を設定する、など種々異なる実施形態とすることができる。なお、データ部１０２２は、有効な認証値又は無効な値に他のデータを付随させる等の他の構成とすることもできる。
【０１１８】
続いて、図１１に示す中間認証結果信号は、中間部２０２Ａが上述した複数種類の認証情報１０２０を用いて主制御部２０１の認証を行った認証結果を示す認証結果情報１０３０を周辺部２０２Ｂに送信する。そして、認証情報１０３０は、識別部１０３１と結果部１０３２とを有して構成している。識別部１０３１は、認証結果信号１０３０を識別することが可能な識別データが設定される。なお、識別データとしては、認証情報１０２０の識別部１０２１に設定されたデータを流用する、予め定められたデータを用いるなど種々異なる実施形態とすることができる。
【０１１９】
次に、主制御部２１０の１回の認証処理で用いる複数種類の認証情報１０２０を１セットとした場合の一例を以下に説明する。
【０１２０】
まず、２つの認証情報１０２０を１セットとする場合、図１２に示すように、各認証情報１０２０の識別部１０２１には、相異なる認証コマンドＣ１、Ｃ２が設定される。そして、認証コマンドＣ１が無効、認証コマンドＣ２が有効と前記設定パターンが示している場合、認証コマンドＣ１に対応したデータ部１０２２には無効なデータが設定され、認証コマンドＣ２に対応したデータ部１０２２には前記認証値である有効データが設定される。これにより、１セットの認証情報１０２０の生成が完了する。
【０１２１】
続いて、２種類の認証コマンドＣ１，Ｃ２を用いて３つの認証情報１０２０を１セットとして生成する場合、図１３に示すように、２つの認証情報１０２０の識別部１０２１には、認証コマンドＣ１が設定され、残りの１つの認証情報１０２０の識別部１０２１には、認証コマンドＣ２が設定される。そして、認証コマンドＣ１が無効、認証コマンドＣ２が有効と前記設定パターンが示している場合、認証コマンドＣ１に対応した２つのデータ部１０２２の各々には無効なデータが設定され、認証コマンドＣ２に対応した１つのデータ部１０２２には前記認証値である有効データが設定される。これにより、１セットが３つの認証情報１０２０の生成が完了する。
【０１２２】
続いて、相異なる３つの認証情報１０２０を１セットとする場合、図１４に示すように、各認証情報１０２０の識別部１０２１には、相異なる認証コマンドＣ１、Ｃ２、Ｃ３が設定される。そして、認証コマンドＣ１、Ｃ２が有効、認証コマンドＣ３が無効と前記設定パターンが示している場合、認証コマンドＣ１、Ｃ２に対応したデータ部１０２２の各々には前記認証値である有効データが設定され、認証コマンドＣ３に対応したデータ部１０２２には無効なデータが設定される。これにより、１セットが３種類の相異なる認証情報１０２０の生成が完了する。
【０１２３】
このように複数種類の認証情報１０２０は、有効な認証値が複数種類の認証コマンドＣ１〜Ｃ３に対応した前記設定パターンで設定されるため、複数種類の設定パターンを切り替えることで、複数種類の認証情報１０２０に設定される認証値の設定パターンを切り替えることができるため、不正な解析者がそれを解析するのを困難とすることができる。
【０１２４】
（設定パターンの切り替え例）
次に、複数種類の設定パターンを主制御部２０１で切り替えて、中間部２０２Ａがその切り替える設定パターンを認証値を用いて特定するための構成例を説明する。
【０１２５】
図１５において、主制御部２０１は、４つの設定パターンＰ１〜Ｐ４を用いる場合、その各々と一対一に対応した４つの認証値Ａ１〜Ａ４を用いる。そして、パターン情報Ｄは、複数種類の設定パターンＰ１〜Ｐ４を示す情報となっている。本実施形態では、パターン情報Ｄが設定パターンＰとそれに対応した設定コマンドＣ１，Ｃ２の各設定とを対応付けて示す情報となっている。具体的には、設定パターンＰ１は、認証コマンドＣ１が無効、認証コマンドＣ２が無効となっている。設定パターンＰ２は、認証コマンドＣ１が無効、認証コマンドＣ２が有効となっている。設定パターンＰ３は、認証コマンドＣ１が有効、認証コマンドＣ２が無効となっている。設定パターンＰ４は、認証コマンドＣ１が有効、認証コマンドＣ２が有効となっている。そして、パターン情報Ｄが有する設定パターンＰ１〜Ｐ４と認証値Ａ１〜Ａ４を一対一に対応付けているため、認証値Ａ及び設定パターンＰの各々からリンク先を辿ることができる。そして、設定パターンＰは、認証コマンドＣ１、認証コマンドＣ２のその順序を認証（送信）順番として規定することで、設定パターンに順番の要素を加味できると共に、設定パターンの数を増加させることができる。
【０１２６】
これに対応する中間部２０２Ａは、図１６に示すように、認証値Ａ１〜Ａ４の各々と一致する期待値Ｂ１〜Ｂ４を中間側記憶部３３２に記憶している。そして、中間部２０２Ａは、期待値Ｂ１〜Ｂ４の各々に、認証値Ａ１〜Ａ４に対応した設定パターンＰ１〜Ｐ４を対応付けて記憶している。これにより、中間部２０２Ａは、期待値Ｂから１つの設定パターンＰを特定することができる。なお、本実施形態の期待値Ｂ１〜Ｂ４と設定パターンＰ１〜Ｐ４との対応付けについては、期待値Ｂ１〜Ｂ４と上述したパターン情報Ｄを対応付けることを前提に説明するが、これに代えて、期待値Ｂ１〜Ｂ４と設定パターンＰ１〜Ｐ４を示すデータを対応付ける実施形態とすることもできる。この場合は、設定パターンＰ１〜Ｐ４の各々に対応したプログラムを予め記憶しておき、設定パターンＰ１〜Ｐ４を特定した場合に該当するプログラムを起動させて、設定パターンＰ１〜Ｐ４に対応した各認証データの有効判定等の処理を行う実施形態とすることで対応できる。そして、本実施形態の中間部２０２Ａは、設定パターンＰ２の場合、認証コマンドＣ１に対応したデータ部１０２２に無効データ、認証コマンドＣ２に対応したデータ部１０２２に有効データがその順番で受信して設定されていれば、主制御部２０１の認証を成立させる場合について説明するが、これに代えて、その順序は問わない実施形態とすることもできる。
【０１２７】
（認証情報信号の送受信に関する処理）
以下に、主制御部２０１と中間部２０２Ａとの間で行う上記認証情報信号の通信例を説明する。まず、主制御部２０１のＣＰＵ２１１（第１コンピュータ）による認証情報信号の送信手順の一例を、図１７のフローチャートを参照して説明する。
【０１２８】
ぱちんこ遊技機１００の電源がＯＮ（投入）されると、主制御部２０１は図１７に示す被認証処理を実行し、ステップＳ１２０１において、予め定められた認証タイミングであるか否かを判定する。主制御部２０１は、認証タイミングではないと判定した場合（Ｓ１２０１：Ｎｏ）、ステップＳ１２０８の処理に進む。一方、主制御部２０１は、認証タイミングであると判定した場合（Ｓ１２０１：Ｙｅｓ）、ステップＳ１２０２の処理に進む。
【０１２９】
主制御部２０１は、ステップＳ１２０２において、データ記憶部３１１の次回設定パターンデータに設定されている設定パターンを今回の設定パターンとしてセットし、その後ステップＳ１２０３の処理に進む。なお、前記次回設定パターンデータに設定パターンが設定されていない場合、即ち初回の処理では、ぱちんこ遊技機１００において初期値として予め定められた初回設定パターンを今回の設定パターンとしてセットする。
【０１３０】
主制御部２０１は、ステップＳ１２０３において、パターン情報Ｄが示す複数種類の設定パターンＰの中から、主制御部２０１の次回の認証に用いる次回の設定パターンを無作為に決定し、該決定した次回の設定パターンをデータ記憶部３１１の次回設定パターンデータに設定し、その後ステップＳ１２０４の処理に進む。なお、次回の設定パターンの決定方法の一例としては、乱数を用いて決定する方法等が挙げられる。
【０１３１】
主制御部２０１は、ステップＳ１２０４において、前記決定した次回の設定パターンに対応する認証値を、データ記憶部３１１に記憶している複数の認証値Ａの中から抽出してＲＡＭ２１３等に記憶し、その後ステップＳ１２０５の処理に進む。
【０１３２】
主制御部２０１は、ステップＳ１２０５において、複数種類の認証情報１０２０の識別部１０２１の各々に、今回の設定パターンに対応した複数種類の認証コマンドの各々を設定し、その複数種類の認証コマンドの各々に対応したデータ部１０２２に、認証値である有効データと無効データを今回の設定パターンと一致するように設定して複数種類の認証情報１０２０を生成してデータ記憶部３１１等に記憶し、その後ステップＳ１２０６の処理に進む。
【０１３３】
なお、設定パターンが複数種類の認証情報１０２０の順番を規定している場合、主制御部２０１は、その順番となるように複数種類の認証情報１０２０を生成する。また、複数種類の認証情報１０２０を不規則な順番で生成する場合、例えば複数種類の認証コマンドＣ１〜Ｃ５の順番が入れ替わるように複数種類の認証情報１０２０を生成する。また、複数種類の認証情報１０２０の中に有効な認証値を複数設定する場合、ぱちんこ遊技機１００において予め定められた認証情報１０２０に設定された認証値を用いる。
【０１３４】
主制御部２０１は、ステップＳ１２０６において、前記生成した複数種類の認証情報１０２０を、中間部２０２Ａとの間で予め定められた暗号化方法で暗号化し、ステップＳ１２０７において、前記暗号化した複数種類の認証情報１０２０の各々に基づいて認証情報信号を生成して主制御側送信部３１６から中間部２０２Ａに対して送信し、その後ステップＳ１２０８の処理に進む。なお、主制御部２０１と中間部２０２Ａとの間で暗号化が不要な場合は、ステップＳ１２０６の処理を削除して、複数種類の認証情報１０２０をそのまま中間部２０２Ａに送信する。
【０１３５】
主制御部２０１は、ステップＳ１２０８において、ぱちんこ遊技機１００の電源がオフされたか否かを判定する。そして、主制御部２０１は、電源がオフされていないと判定した場合（Ｓ１２０８：Ｎｏ）、ステップＳ１２０１の処理に戻り、一連の処理を繰り返す。一方、主制御部２０１は、電源がオフされたと判定した場合（Ｓ１２０８：Ｙｅｓ）、本フローチャートによる処理を終了する。
【０１３６】
続いて、中間部２０２ＡのＣＰＵ２３１（第２コンピュータ）による複数種類の認証情報の受信処理の手順を、図１８のフローチャートを参照して説明する。
【０１３７】
中間部２０２Ａは、図１８に示す認証側処理を実行すると、ステップＳ１３０１において、受信部３３１によって主制御部２０１から認証情報（認証情報信号）１０２０を受信したか否かを判定する。中間部２０２Ａは、認証情報１０２０を受信していないと判定した場合（Ｓ１３０１：Ｎｏ）、ステップＳ１３１２の処理に進む。一方、中間部２０２Ａは、認証情報１０２０を受信したと判定した場合（Ｓ１３０１：Ｙｅｓ）、ステップＳ１３０２の処理に進む。
【０１３８】
中間部２０２Ａは、ステップＳ１３０２において、受信した認証情報１０２０を主制御部２０１の前記暗号化方式に対応した復号化方式で復号化し、該認証情報１０２０のデータ部１０２２から認証データを抽出して中間側記憶部３３２等に記憶し、中間側記憶部３３２の受信カウンタをインクリメント（＋１）し、その後ステップＳ１３０３の処理に進む。なお、主制御部２０１と中間部２０２Ａとの間で暗号化が不要な場合は、ステップＳ１３０２における復号化処理を削除する。また、本実施形態では、受信カウンタを用いて上述した１セットの認証情報の受信を確認する場合について説明するが、これに代えて、例えば１セット分のフラグデータを用いるなど種々異なる実施形態とすることができる。
【０１３９】
中間部２０２Ａは、ステップＳ１３０３において、抽出した認証データと中間側記憶部３３２の複数の期待値とを比較して、認証データが期待値と一致しているか否かを判定する。中間部２０２Ａは、認証データが期待値と一致していると判定した場合（Ｓ１３０３：Ｙｅｓ）、認証データは有効であることから、ステップＳ１３０４において、受信した認証情報１０２０の識別部１０２１に設定されている認証コマンドＣに「有効」を示す有効データを関連付けて中間側記憶部３３２等の有効判定結果情報に設定し、その後ステップＳ１３０６の処理に進む。なお、有効判定結果情報は、認証コマンドと有効／無効とを一対のデータとして複数設定することが可能なデータ構造となっている。一方、中間部２０２Ａは、認証データが期待値と一致していないと判定した場合（Ｓ１３０３：Ｎｏ）、認証データは無効であることから、ステップＳ１３０５において、受信した認証情報１０２０の識別部１０２１に設定されている認証コマンドＣに「無効」を示す無効データを関連付けて中間側記憶部３３２等の有効判定結果情報に設定し、その後ステップＳ１３０６の処理に進む。
【０１４０】
中間部２０２Ａは、ステップＳ１３０６において、中間側記憶部３３２の受信カウンタと設定パターンが示すパターン数（認証コマンドの数）とを比較して、主制御部２０１から全ての認証情報１０２０を受信したか否かを判定する。中間部２０２Ａは、全ての認証情報１０２０を受信していないと判定した場合（Ｓ１３０６：Ｎｏ）、ステップＳ１３１２の処理に進む。一方、中間部２０２Ａは、全ての認証情報１０２０を受信したと判定した場合（Ｓ１３０６：Ｙｅｓ）、中間側記憶部３３２の受信カウンタをクリアし、その後ステップＳ１３０７の処理に進む。
【０１４１】
中間部２０２Ａは、ステップＳ１３０７において、中間側記憶部３３２等の有効判定結果情報が示す有効判定結果が今回の設定パターンと一致しているか否かを判定する。なお、判定方法の一例としては、複数種類の認証コマンドＣに対応した有効／無効の判定結果と、設定パターンが示す認証コマンドＣの有効／無効とが完全に一致しているか否かを判定する。そして、複数種類の認証情報１０２０の順番を認証判定に加味する場合、設定パターンが示す認証コマンドＣの順番通りに、有効判定結果情報に設定されているか否かを判定して対応する。
【０１４２】
中間部２０２Ａは、今回の設定パターンと一致すると判定した場合（Ｓ１３０７：Ｙｅｓ）、ステップＳ１３０８において、主制御部２０１に対する認証を成立させ、認証成立を示す中間認証結果データを生成してＲＡＭ２３３等に記憶し、その後ステップＳ１３０９の処理に進む。そして、中間部２０２Ａは、ステップＳ１３０９において、今回の認証処理で有効と判定した認証データと一致した期待値に対応付けられた設定パターンを特定し、該特定した設定パターンを次回の設定パターンとして中間側記憶部３３２の次回設定パターンデータに設定し、その後ステップＳ１３１１の処理に進む。
【０１４３】
なお、複数種類の認証情報１０２０の中に有効な認証値が認証データとして複数設定されている場合は、例えば、相互間で取り決めた所望の認証コマンド、順番、等に対応した認証情報１０２０に設定された認証値を用いる。また、複数の有効な認証情報１０２０の中の何れの有効データ（認証値）を、次回の設定パターンの特定に用いるかは、種々異なる実施形態とすることが可能であり、例えば、認証コマンドに優先度を割り振り、予め定められた優先度の認証コマンドに対応した認証値を前記特定に用いる実施形態とすることもできる。
【０１４４】
一方、中間部２０２Ａは、ステップＳ１３０７で今回の設定パターンと一致していないと判定した場合（Ｓ１３０７：Ｎｏ）、ステップＳ１３１０において、主制御部２０１に対する認証を不成立とし、認証不成立を示す中間認証結果データを生成してＲＡＭ２３３等に記憶し、その後ステップＳ１３１１の処理に進む。
【０１４５】
中間部２０２Ａは、ステップＳ１３１１において、前記生成した中間認証結果データを結果部１０３２に設定して中間認証結果情報１０３０し、該中間認証結果情報１０３０を付加した中間認証結果信号を生成して中間側送信部３３５から周辺部２０２Ｂに対して送信し、その後ステップＳ１３１２の処理に進む。
【０１４６】
中間部２０２Ａは、ステップＳ１３１２において、ぱちんこ遊技機１００の電源がオフされたか否かを判定する。そして、周辺部は、電源がオフされていないと判定した場合（Ｓ１３１２：Ｎｏ）、ステップＳ１３０１の処理に戻り、一連の処理を繰り返す。一方、中間部２０２Ａは、電源がオフされたと判定した場合（Ｓ１３１２：Ｙｅｓ）、本フローチャートによる処理を終了する。
【０１４７】
続いて、周辺部２０２ＢのＣＰＵ２４１（第３コンピュータ）による各種制御信号及び中間認証結果信号の受信処理の手順を、図１９のフローチャートを参照して説明する。
【０１４８】
周辺部２０２Ｂは、ステップＳ１４０１において、中間部２０２Ａから制御信号１０１０を受信したか否かを判定する。周辺部２０２Ｂは、制御信号１０１０を受信したと判定した場合（Ｓ１４０１：Ｙｅｓ）、ステップＳ１４０２において、受信した制御信号１０１０に含まれている制御コマンドデータ１００１および付随データ１００２に基づく所定の処理を行い、その後ステップＳ１４０５の処理に進む。
【０１４９】
一方、周辺部２０２Ｂは、制御信号１０１０を受信していないと判定した場合（Ｓ１４０１：Ｎｏ）、ステップＳ１４０３において、受信した信号が識別部１０３１を有しているか否か等に基づいて、中間部２０２Ａから中間認証結果信号を受信したか否かを判定する。そして、周辺部２０２Ｂは、中間認証結果信号を受信していないと判定した場合（Ｓ１４０３：Ｎｏ）、ステップＳ１４０５の処理に進む。一方、周辺部２０２Ｂは、中間認証結果信号を受信していると判定した場合（Ｓ１４０３：Ｙｅｓ）、ステップＳ１４０４の処理に進む。
【０１５０】
周辺部２０２Ｂは、ステップＳ１４０４において、受信した中間認証結果信号の結果部１０３２を参照して、中間認証結果信号は認証成立を示しているか否かを判定する。そして、周辺部２０２Ｂは、中間認証結果が認証成立を示していると判定した場合（Ｓ１４０４：Ｙｅｓ）、その認証結果をＲＡＭ２４３等に記憶し、その後ステップＳ１４０５の処理に進む。
【０１５１】
周辺部２０２Ｂは、ステップＳ１４０５において、ぱちんこ遊技機１００の電源がオフされたか否かを判定する。そして、周辺部２０２Ｂは、電源がオフされていないと判定した場合（Ｓ１４０５：Ｎｏ）、ステップＳ１４０１の処理に戻り、一連の処理を繰り返す。一方、周辺部２０２Ｂは、電源がオフされたと判定した場合（Ｓ１４０５：Ｙｅｓ）、本フローチャートによる処理を終了する。
【０１５２】
一方、周辺部２０２Ｂは、ステップＳ１４０４で中間認証結果が認証成立を示していないと判定した場合（Ｓ１４０５：Ｎｏ）、ステップＳ１４０６において、例えばスピーカ２６２（図２参照）等から報知信号を出力して、本フローチャートによる処理を終了する。なお、中間認証結果が認証成立を示していない、即ち、認証不成立を示している場合の周辺部２０２Ｂの処理については、報知信号を出力するだけで、周辺部２０２Ｂの処理を継続させるようにしてもよい。
【０１５３】
（複数種類の認証情報を用いた認証処理手順例）
次に、図１５に示すパターン情報Ｄを用いて、複数種類の設定パターンＰ１〜Ｐ４を切り替えて主制御基板３１０の認証を行う場合の手順の一例を、図２０の図面を参照して説明する。
【０１５４】
図２０において、被認証者である主制御基板３１０は、予め定められた今回の設定パターンＰ１をパターン情報Ｄからセットする（Ｓ１５０１）。主制御基板３１０は、初期の設定パターンＰ２を次回の設定パターンとランダムに決定し、該結果をデータ記憶部３１１の次回設定パターンデータに設定する（Ｓ１５０２）。そして、主制御基板３１０は、次回の設定パターンＰ２に対応付けられた認証値Ａ２をデータ記憶部３１１から抽出する（Ｓ１５０３）。
【０１５５】
主制御基板３１０は、複数種類の認証情報１０２０の識別部１０２１の各々に、今回の設定パターンＰ１に対応した順番で認証コマンドＣ１，Ｃ２の各々を設定し、今回の設定パターンＰ１が認証コマンドＣ１，Ｃ２の双方に無効データの設定を示していることから、その認証コマンドＣ１，Ｃ２の各々に対応したデータ部１０２２に、認証値Ａ２とは異なる無効データを認証データとして設定して今回の設定パターンＰ１と一致した複数種類の認証情報１０２０Ｃ１，Ｃ２を生成する（Ｓ１５０４）。そして、主制御基板３１０は、双方に無効データが設定された認証情報１０２０Ｃ１，Ｃ２を周辺基板３３０の中間部２０２Ａに送信する（Ｓ１５０５）。
【０１５６】
このように認証処理手順では、認証コマンドＣ１，Ｃ２の各々に対応した認証情報１０２０をそれぞれ認証情報１０２０Ｃ１，Ｃ２と表している。そして、認証情報１０２０Ｃ１，Ｃ２はその順番で送信する場合について説明するが、その順番を逆にしてもよい。
【０１５７】
一方、周辺基板３３０の中間部２０２Ａは、主制御基板３１０から複数種類の認証情報１０２０Ｃ１，Ｃ２を受信すると（Ｓ１５１１）、認証情報１０２０Ｃ１，Ｃ２の識別部１０２１に設定された認証コマンドＣ１，Ｃ２毎に、データ部１０２２の認証データと中間側記憶部３３２に記憶している複数の期待値とが一致するか否かに基づいて、認証データが有効であるか否かを判定し、その判定結果を中間側記憶部３３２等の有効判定結果情報に設定する（Ｓ１５１２）。そして、中間部２０２Ａは、有効判定結果情報が示す判定結果が初期値である今回の設定パターンＰ１と一致しているか否かを判定し、該判定結果に基づいた主制御基板３１０の認証結果を示す中間認証結果データを有する中間認証結果情報１０３０を生成し、該中間認証結果情報１０３０を付加した中間認証結果信号を周辺基板３３０の周辺部２０２Ｂに対して送信する（Ｓ１５１３）。この場合、中間部２０２Ａは、認証コマンドＣ１，Ｃ２の双方が無効である場合に、主制御基板３１０の認証を成立させる。そして、中間部２０２Ａは、主制御基板３１０の認証が成立した場合、今回受信した認証情報１０２０Ｃ１，Ｃ２には認証値が設定されていないことから、予め定められた設定パターンＰ２を次回の設定パターンとして特定し、中間側記憶部３３２の次回設定パターンデータに設定して（Ｓ１５１４）、２回目以降の認証処理を行う。
【０１５８】
また、周辺基板３３０の周辺部２０２Ｂは、中間部２０２Ａから受信した中間認証結果信号の中間認証結果情報１０３０が認証成立を示している場合、主制御部２０１から中間部２０２Ａを介して受信した制御コマンドデータ１００１及び付随データ１００２に対応した所定の処理の実行を可能とし、また、中間認証結果情報１０３０が認証成立を示していない場合、報知信号を出力する（Ｓ１５２１）。
【０１５９】
続いて、主制御基板３１０は、データ記憶部３１１の次回設定パターンデータが示す設定パターンＰ２を今回の設定パターンＰ２としてセットする（Ｓ１５３１）。そして、主制御基板３１０は、パターン情報Ｄから次回の設定パターンを設定パターンＰ３とランダムに決定して、該結果をデータ記憶部３１１の次回設定パターンデータに設定する（Ｓ１５３２）。そして、主制御基板３１０は、次回の設定パターンＰ３に対応付けられた認証値Ａ３をデータ記憶部３１１から抽出する（Ｓ１５３３）。
【０１６０】
主制御基板３１０は、複数種類の認証情報１０２０の識別部１０２１の各々に、今回の設定パターンＰ２に対応した順番で認証コマンドＣ１，Ｃ２の各々を設定し、今回の設定パターンＰ２が認証コマンドＣ１，Ｃ２に無効データ及び有効データの設定を示していることから、その認証コマンドＣ１，Ｃ２の各々に対応したデータ部１０２２に、認証値Ａ３とは異なる無効データと認証値Ａ３である有効データとを認証データとして順次設定して、今回の設定パターンＰ２と一致する複数種類の認証情報１０２０Ｃ１，Ｃ２を生成する（Ｓ１５３４）。そして、主制御基板３１０は、一方に有効データが設定された認証情報１０２０Ｃ１，Ｃ２を周辺基板３３０に送信する（Ｓ１５３５）。
【０１６１】
一方、周辺基板３３０の中間部２０２Ａは、主制御基板３１０から複数種類の認証情報１０２０Ｃ１，Ｃ２を受信すると（Ｓ１５４１）、認証情報１０２０Ｃ１，Ｃ２の識別部１０２１に設定された認証コマンドＣ１，Ｃ２毎に、データ部１０２２の認証データと中間側記憶部３３２に記憶している複数の期待値とが一致するか否かに基づいて、認証データが有効であるか否かを判定し、その判定結果を中間側記憶部３３２等の有効判定結果情報に設定する（Ｓ１５４２）。そして、中間部２０２Ａは、有効判定結果情報が示す判定結果が、前回の認証処理で次回の設定パターンとして特定された今回の設定パターンＰ２と一致しているか否かを判定し、該判定結果に基づいて主制御基板３１０の認証を行う（Ｓ１５４３）。この場合、中間部２０２Ａは、認証コマンドＣ１が無効、認証コマンドＣ２が有効である場合に、主制御基板３１０の認証を成立させる。そして、中間部２０２Ａは、主制御基板３１０の認証が成立した場合、有効と判定した認証データ（認証値Ａ３）と一致した中間側記憶部３３２の期待値Ｂ３に対応付けられた設定パターンＰ３と特定し、中間側記憶部３３２の次回設定パターンデータに設定して（Ｓ１５４４）、以降の認証処理を行う。
【０１６２】
また、周辺基板３３０の周辺部２０２Ｂは、中間部２０２Ａから受信した中間認証結果信号の中間認証結果情報１０３０が認証成立を示している場合、主制御部２０１から中間部２０２Ａを介して受信した制御コマンドデータ１００１及び付随データ１００２に対応した所定の処理の実行を可能とし、また、中間認証結果情報１０３０が認証成立を示していない場合、報知信号を出力する（Ｓ１５５１）。
【０１６３】
なお、上述した認証処理手順では、認証情報１０２０Ｃ１，Ｃ２を設定パターンＰが規定する順番で主制御基板３１０から周辺基板３３０に送信する場合について説明したが、これに代えて、送信順番を不規則に変化させてもよい。
【０１６４】
以上説明したぱちんこ遊技機１００によれば、複数種類の設定パターンＰ１〜Ｐ４と複数種類の認証値Ａ１〜Ａ４とを一対一に対応付けておき、主制御部２０１が今回の設定パターンＰとなるように、次回の設定パターンＰに対応した認証値Ａを設定して複数種類の認証情報１０２０を生成し、該複数種類の認証情報１０２０を中間部２０２Ａに送信するようにしたことから、中間部２０２Ａが複数種類の認証情報１０２０に設定された有効な認証値Ａの設定パターンＰ１〜Ｐ４に基づいて主制御部２０１の認証を行うことで、不正な解析者が複数種類の認証情報１０２０を解析するのは困難となり、不正な解析者が認証情報１０２０を不正に利用することを防止でき且つ不正解析者によってデータが不正に利用されたことを中間部２０２Ａで検知することができる。さらに、複数種類の認証情報１０２０の数を増やすことで、設定パターンＰ１〜Ｐ４の数も増やすことができるため、認証強度を高めることができる。また、中間部２０２Ａがその認証値Ａに対応した設定パターンを期待値Ｂから特定して、次回の設定パターンＰ１〜Ｐ４とすることで、ぱちんこ遊技機１００における設定パターンＰ１〜Ｐ４の切り替えを不正な解析者が解析するのをより一層困難とすることができる。さらに、複数種類の認証値Ａは予め記憶しておくことができるため、認証情報１０２０の生成時に複雑な演算を行う必要がないため、主制御部２０１の処理負担の増加を防止できる。中間部２０２Ａが主制御部２０１に対する認証処理を行い、その中間認証結果を周辺部２０２Ｂに送信するようにしたことから、周辺部２０２Ｂは認証処理を行わずに中間認証結果を参照するだけで良いため、周辺部２０２ＢのＣＰＵ２４１の処理付加を軽減することができる。従って、複雑な演算を用いることなく、主制御部２０１から周辺部２０２Ｂに送信されるデータが不正制御に利用されることを防止し且つ周辺部２０２ＢのＣＰＵ２４１の処理負荷を軽減することができる。また、認証処理の複雑化を図っても、周辺部２０２Ｂによる演出処理に影響することはないため、セキュリティの向上及び遊技の興趣向上の双方を図ることができる。
【０１６５】
また、上述したぱちんこ遊技機１００において、複数種類の認証情報１０２０に対して複数の有効な認証値Ａの設定を可能としたことから、主制御部２０１と中間部２０２Ａとの間で用いる設定パターンＰの数を増加させることができるため、不正な解析者が複数種類の認証情報１０２０を解析するのはより一層困難となり、不正な解析者が認証情報１０２０を不正に利用することを防止でき且つ不正解析者によってデータが不正に利用されたことを周辺部で検知することができる。
【０１６６】
さらに、上述したぱちんこ遊技機１００において、複数種類の認証情報１０２０の全てに対して無効な認証データの設定を可能とし、その場合は初期の設定パターンを次回の設定パターンＰとするようにしたことから、設定パターンＰの切り替えの解析をより一層困難とすることができるため、不正利用の防止且つ検知の精度向上を図ることができる。
【０１６７】
また、上述したぱちんこ遊技機１００において、主制御部２０１が設定パターンＰによって規定された複数種類の認証情報１０２０の順番で該複数種類の認証情報１０２０を中間部２０２Ａに送信するようにすれば、中間部２０２Ａは複数種類の認証情報１０２０の各々に設定された認証データの有効、無効のパターンとその順番に基づいて主制御部２０１の認証を行うことができるため、複雑な演算を用いることなく、認証精度の向上を図ることができる。
【０１６８】
さらに、上述したぱちんこ遊技機１００において、主制御部２０１が生成した複数種類の認証情報１０２０を不規則な順番で中間部２０２Ａに送信するようにすれば、不正な解析者が複数種類の認証情報１０２０を解析するのはより一層困難となり、不正な解析者が認証情報１０２０を不正に利用することを防止でき且つ不正解析者によってデータが不正に利用されたことを中間部２０２Ａで検知することができる。
【０１６９】
［実施例２］
以下に、上述したぱちんこ遊技機１００の実施例２を説明する。なお、上述した構成と同一部分については、同一の符号を付して異なる部分のみを詳細に説明する。
【０１７０】
（主制御基板および周辺基板の機能的構成）
まず、ぱちんこ遊技機１００は、上述した図２に示す制御部２００を備えている。制御部２００は、主制御部２０１と、中間部２０２Ａと、演出制御部２０２Ｂと、賞球制御部２０３と、を有している。そして、ぱちんこ遊技機１００は、図１９に示すように、主制御部２０１としての機能を有する主制御基板３１０と、上述した中間部２０２Ａと演出制御部２０２Ｂを有する周辺基板３３０と、を有して構成している。そして、主制御基板３１０は周辺基板３３０と通信可能なように電気的に接続されている。
【０１７１】
主制御基板３１０は、上述したデータ記憶部３１１、決定部３１２、認証情報生成部３１５、主制御側送信部３１６と、選択部３１３と、を有して構成している。
【０１７２】
選択部３１３は、本発明の選択手段に相当し、データ記憶部３１１に記憶している複数種類の認証値の中から１つの認証値を無作為に選択する。選択部３１３は、乱数等を用いて１つの認証値を選択する。なお、選択部３１３は、設定パターンが複数の認証情報に有効データの設定を示している場合、その数に応じた複数の認証値を選択することもできる。
【０１７３】
上述した決定部３１２は、選択部３１３が選択した認証値に対応付けられた設定パターンを、主制御基板３１０の次回の認証に用いる次回の設定パターンと決定し、該決定した設定パターンを示す次回設定パターンデータをデータ記憶部３１１等に記憶する。
【０１７４】
上述した認証情報生成部３１５は、選択部３１３によって選択された認証値が予め決定された今回の前記設定パターンで設定されるように複数種類の認証情報を生成する。そして、予め決定された今回の設定パターンは、認証情報生成部３１５の１回目の処理においては、予め定められた初期値である初期設定パターンとなり、２回目以降の処理においては、前回の処理で決定された次回の設定パターンとなる。そして、設定パターンが複数の有効データの設定を示している場合、次回の設定パターンに対応付ける認証値が、予め定められた認証情報に設定され且つ今回の設定パターンで設定されるように複数種類の認証情報を生成する。
【０１７５】
実施例２のぱちんこ遊技機１００も、実施例１と同様に、有効な認証値が設定された認証情報と無効な認証情報とを組み合わせて主制御基板３１０から周辺基板３３０の中間部２０２Ａに送信し、中間部２０２Ａはその複数種類の認証情報の設定パターンに基づいて主制御基板３１０の認証を行う構成を採用している。よって、ぱちんこ遊技機１００は、複数種類の設定パターンを組み合わせて認証することで、セキュリティの向上を図るとともに、主制御部２０１から周辺基板３３０に単独で認証情報を送信しても、それが容易に解析されることを困難にすることができる。
【０１７６】
続いて、図２１に示す周辺基板３３０の中間部２０２Ａは、実施例１と同様に、上述した中間側受信部３３１、中間側記憶部３３２、有効判定部３３３、中間認証結果データ生成部３３４，中間側送信部３３５、特定部３３６を有して構成している。そして、周辺部２０２Ｂも、実施例１と同様に、上述した周辺側受信部３５１、処理部３５２を有して構成している。このように周辺基板３３０は、実施例１と同様の構成で実現できるため、その説明は省略する。
【０１７７】
また、本実施形態では、主制御基板３１０のＣＰＵ２１１が請求項中の第１コンピュータ、周辺基板３３０の中間部２０２ＡのＣＰＵ２３１が請求項中の第２コンピュータ、周辺基板３３０の演出制御部２０２ＢのＣＰＵ２４１が請求項中の第３コンピュータとして機能させる場合について説明する。そして、主制御基板３１０のＲＯＭ２１２は、前記第１コンピュータを請求項中の選択手段、認証情報生成手段、主制御側送信手段、決定手段、等の各種手段として機能させるための主制御側認証プログラムを記憶している。また、周辺基板３３０の中間部２０２ＡのＲＯＭ２３２は、前記第２コンピュータを請求項中の中間側受信手段と、有効判定手段、中間認証結果データ生成手段と、中間側送信手段と、特定手段、等の各種手段として機能させるための中間側認証プログラムを記憶している。また、周辺基板３３０の周辺部２０２ＢのＲＯＭ２４２は、前記第３コンピュータを請求項中の周辺側受信手段、処理手段、等の各種手段として機能させるための周辺側認証プログラムを記憶している。即ち、主制御側認証プログラムと中間側認証プログラムと周辺側認証プログラムによって本発明の認証プログラムを構成している。
【０１７８】
（認証情報信号の送受信に関する処理）
以下に、主制御部２０１と中間部２０２Ａとの間で行う上記認証情報信号の通信例を説明する。まず、主制御部２０１のＣＰＵ２１１（第１コンピュータ）による認証情報信号の送信手順２の一例を、図２２のフローチャートを参照して説明する。
【０１７９】
ぱちんこ遊技機１００の電源がＯＮ（投入）されると、主制御部２０１は図２２に示す被認証処理を実行し、ステップＳ１６０１において、予め定められた認証タイミングであるか否かを判定する。主制御部２０１は、認証タイミングではないと判定した場合（Ｓ１６０１：Ｎｏ）、ステップＳ１６０８の処理に進む。一方、主制御部２０１は、認証タイミングであると判定した場合（Ｓ１６０１：Ｙｅｓ）、ステップＳ１６０２の処理に進む。
【０１８０】
主制御部２０１は、ステップＳ１６０２において、データ記憶部３１１の次回設定パターンデータに設定されている設定パターンを今回の設定パターンとしてセットし、その後ステップＳ１６０３の処理に進む。なお、前記次回設定パターンデータに設定パターンが設定されていない場合、即ち初回の処理では、ぱちんこ遊技機１００において初期値として予め定められた初回設定パターンを今回の設定パターンとしてセットする。
【０１８１】
主制御部２０１は、ステップＳ１６０３において、データ記憶部３１１に記憶している複数種類の期待値の中から乱数等を用いて１つの認証値を選択してＲＡＭ２１３等に記憶し、その後ステップＳ１６０４の処理に進む。なお、このフローチャートでは、説明を簡単化するために、１つの認証値を選択する場合について説明するが、これに代えて、複数の認証値を選択する構成とすることもできる。
【０１８２】
主制御部２０１は、ステップＳ１６０４において、複数種類の認証情報１０２０の識別部１０２１の各々に、今回の設定パターンに対応した複数種類の認証コマンドの各々を設定し、その複数種類の認証コマンドの各々に対応したデータ部１０２２に、前記選択した認証値である有効データと無効データを今回の設定パターンと一致するように設定して複数種類の認証情報１０２０を生成してデータ記憶部３１１等に記憶し、その後ステップＳ１６０５の処理に進む。
【０１８３】
なお、設定パターンが複数種類の認証情報１０２０の順番を規定している場合、主制御部２０１は、その順番となるように複数種類の認証情報１０２０を生成する。また、複数種類の認証情報１０２０を不規則な順番で生成する場合、例えば複数種類の認証コマンドＣ１〜Ｃ５の順番が入れ替わるように複数種類の認証情報１０２０を生成する。また、複数種類の認証情報１０２０の中に有効な認証値を複数設定する場合、ぱちんこ遊技機１００において予め定められた認証情報１０２０に設定された認証値を用いる。
【０１８４】
主制御部２０１は、ステップＳ１６０５において、前記生成した複数種類の認証情報１０２０を、周辺部との間で予め定められた暗号化方法で暗号化し、ステップＳ１６０６において、前記暗号化した複数種類の認証情報１０２０の各々に基づいて認証情報信号を生成して主制御側送信部３１６から周辺部に対して送信し、その後ステップＳ１６０７の処理に進む。なお、主制御部２０１と周辺部との間で暗号化が不要な場合は、ステップＳ１６０５の処理を削除して、複数種類の認証情報１０２０をそのまま周辺部に送信する。
【０１８５】
主制御部２０１は、ステップＳ１６０７において、パターン情報Ｄが示す複数種類の設定パターンＰの中から、前記選択した認証値に対応した設定パターンを特定し、該特定した設定パターンを主制御部２０１の次回の認証に用いる次回の設定パターンとしてデータ記憶部３１１の次回設定パターンデータに設定し、その後ステップＳ１６０８の処理に進む。
【０１８６】
主制御部２０１は、ステップＳ１６０８において、ぱちんこ遊技機１００の電源がオフされたか否かを判定する。そして、主制御部２０１は、電源がオフされていないと判定した場合（Ｓ１６０８：Ｎｏ）、ステップＳ１６０１の処理に戻り、一連の処理を繰り返す。一方、主制御部２０１は、電源がオフされたと判定した場合（Ｓ１６０８：Ｙｅｓ）、本フローチャートによる処理を終了する。
【０１８７】
続いて、周辺基板３３０における中間部２０２ＡのＣＰＵ２３１（第２コンピュータ）が行う前記認証情報信号の受信処理の手順、及び、周辺部２０２ＢのＣＰＵ２４１（第３コンピュータ）が行う上記制御信号と上記中間認証結果信号の受信処理の手順は、実施例１の図１８に示す認証側処理、及び図１９に示す処理をそのまま用いることができるため、詳細な説明は省略する。
【０１８８】
（複数種類の認証情報を用いた認証処理手順例２）
次に、図１５に示すパターン情報Ｄを用いて、複数種類の設定パターンＰ１〜Ｐ４を切り替えて主制御基板３１０の認証を行う場合の処理手順２の一例を、図２３の図面を参照して説明する。
【０１８９】
図２３において、被認証者である主制御基板３１０は、予め定められた今回の設定パターンＰ２をパターン情報Ｄからセットする（Ｓ１７０１）。そして、主制御基板３１０は、複数種類の認証値Ａ１〜Ａ４の中からランダムに１つの認証値Ａ２を抽出する（Ｓ１７０２）。
【０１９０】
主制御基板３１０は、複数種類の認証情報１０２０の識別部１０２１の各々に、今回の設定パターンＰ２に対応した順番で認証コマンドＣ１，Ｃ２の各々を設定し、今回の設定パターンＰ２が認証コマンドＣ１，Ｃ２に無効データ及び有効データの設定を示していることから、その認証コマンドＣ１，Ｃ２の各々に対応したデータ部１０２２に、認証値Ａ３とは異なる無効データと認証値Ａ２である有効データとを認証データとして順次設定して、今回の設定パターンＰ２と一致する複数種類の認証情報１０２０Ｃ１，Ｃ２を生成する（Ｓ１７０３）。そして、主制御基板３１０は、一方に有効データが設定された認証情報１０２０Ｃ１，Ｃ２を周辺基板３３０の中間部２０２Ａに送信する（Ｓ１７０４）。そして、主制御基板３１０は、選択した認証値Ａ２に対応付けられた設定パターンＰ２を、主制御基板３１０の次回の認証に用いる次回の設定パターンと決定し、該結果をデータ記憶部３１１の次回設定パターンデータに設定する（Ｓ１７０５）。即ち、主制御基板３１０は次回の認証処理においても、設定パターンＰ２を継続して用いることになる。
【０１９１】
このように認証処理手順では、認証コマンドＣ１，Ｃ２の各々に対応した認証情報１０２０をそれぞれ認証情報１０２０Ｃ１，Ｃ２と表している。そして、認証情報１０２０Ｃ１，Ｃ２はその順番で送信する場合について説明するが、その順番を逆にしてもよい。
【０１９２】
一方、周辺基板３３０の中間部２０２Ａは、主制御基板３１０から複数種類の認証情報１０２０Ｃ１，Ｃ２を受信すると（Ｓ１７１１）、認証情報１０２０Ｃ１，Ｃ２の識別部１０２１に設定された認証コマンドＣ１，Ｃ２毎に、データ部１０２２の認証データと中間側記憶部３３２に記憶している複数の期待値とが一致するか否かに基づいて、認証データが有効であるか否かを判定し、その判定結果を中間側記憶部３３２等の有効判定結果情報に設定する（Ｓ１７１２）。そして、中間部２０２Ａは、有効判定結果情報が示す判定結果が初期値である今回の設定パターンＰ１と一致しているか否かを判定し、該判定結果に基づいた主制御基板３１０の認証結果を示す中間認証結果データを有する中間認証結果情報１０３０を生成し、該中間認証結果情報１０３０を付加した中間認証結果信号を周辺基板３３０の周辺部２０２Ｂに対して送信する（Ｓ１７１３）。この場合、周辺基板３３０は、認証コマンドＣ１が無効、認証コマンドＣ２が有効である場合に、主制御基板３１０の認証を成立させる。そして、中間部２０２Ａは、有効と判定した認証データ（認証値Ａ２）と一致した中間側記憶部３３２の期待値Ｂ２に対応付けられた設定パターンＰ２と特定し、中間側記憶部３３２の次回設定パターンデータに設定して（Ｓ１７１４）、２回目以降の認証処理を行う。
【０１９３】
また、周辺基板３３０の周辺部２０２Ｂは、中間部２０２Ａから受信した中間認証結果信号の中間認証結果情報１０３０が認証成立を示している場合、主制御部２０１から中間部２０２Ａを介して受信した制御コマンドデータ１００１及び付随データ１００２に対応した所定の処理の実行を可能とし、また、中間認証結果情報１０３０が認証成立を示していない場合、報知信号を出力する（Ｓ１７２１）。
【０１９４】
続いて、主制御基板３１０は、データ記憶部３１１の次回設定パターンデータが示す設定パターンＰ２を今回の設定パターンＰ２としてセットする（Ｓ１７３１）。そして、主制御基板３１０は、複数種類の認証値Ａ１〜Ａ４の中からランダムに１つの認証値Ａ４を抽出する（Ｓ１７３２）。
【０１９５】
主制御基板３１０は、複数種類の認証情報１０２０の識別部１０２１の各々に、今回の設定パターンＰ２に対応した順番で認証コマンドＣ１，Ｃ２の各々を設定し、今回の設定パターンＰ２が認証コマンドＣ１，Ｃ２に無効データ及び有効データの設定を示していることから、その認証コマンドＣ１，Ｃ２の各々に対応したデータ部１０２２に、認証値Ａ４とは異なる無効データと認証値Ａ４である有効データとを認証データとして順次設定して、今回の設定パターンＰ２と一致する複数種類の認証情報１０２０Ｃ１，Ｃ２を生成する（Ｓ１７３３）。そして、主制御基板３１０は、一方に有効データが設定された認証情報１０２０Ｃ１，Ｃ２を周辺基板３３０の中間部２０２Ａに送信する（Ｓ１７３４）。そして、主制御基板３１０は、選択した認証値Ａ４に対応付けられた設定パターンＰ４を、主制御基板３１０の次回の認証に用いる次回の設定パターンと決定し、該結果をデータ記憶部３１１の次回設定パターンデータに設定する（Ｓ１７３５）。即ち、次回の認証処理においては、設定パターンＰ２から設定パターンＰ４に切り替えることになる。
【０１９６】
一方、周辺基板３３０の中間部２０２Ａは、主制御基板３１０から複数種類の認証情報１０２０Ｃ１，Ｃ２を受信すると（Ｓ１７４１）、認証情報１０２０Ｃ１，Ｃ２の識別部１０２１に設定された認証コマンドＣ１，Ｃ２毎に、データ部１０２２の認証データと中間側記憶部３３２に記憶している複数の期待値とが一致するか否かに基づいて、認証データが有効であるか否かを判定し、その判定結果を中間側記憶部３３２等の有効判定結果情報に設定する（Ｓ１７４２）。そして、中間部２０２Ａは、有効判定結果情報が示す判定結果が今回の設定パターンＰ２と一致しているか否かを判定し、該判定結果に基づいた主制御基板３１０の認証結果を示す中間認証結果データを有する中間認証結果情報１０３０を生成し、該中間認証結果情報１０３０を付加した中間認証結果信号を周辺基板３３０の周辺部２０２Ｂに対して送信する（Ｓ１７４３）。この場合、中間部２０２Ａは、認証コマンドＣ１が無効、認証コマンドＣ２が有効である場合に、主制御基板３１０の認証を成立させる。そして、中間部２０２Ａは、有効と判定した認証データ（認証値Ａ４）と一致した中間側記憶部３３２の期待値Ｂ４に対応付けられた設定パターンＰ４を特定し、中間側記憶部３３２の次回設定パターンデータに設定して（Ｓ１７４４）、以降の認証処理を行う。
【０１９７】
また、周辺基板３３０の周辺部２０２Ｂは、中間部２０２Ａから受信した中間認証結果信号の中間認証結果情報１０３０が認証成立を示している場合、主制御部２０１から中間部２０２Ａを介して受信した制御コマンドデータ１００１及び付随データ１００２に対応した所定の処理の実行を可能とし、また、中間認証結果情報１０３０が認証成立を示していない場合、報知信号を出力する（Ｓ１７５１）。
【０１９８】
なお、上述した認証処理手順２では、認証情報１０２０Ｃ１，Ｃ２を設定パターンＰが規定する順番で主制御基板３１０から周辺基板３３０に送信する場合について説明したが、これに代えて、送信順番を不規則に変化させてもよい。
【０１９９】
以上説明したぱちんこ遊技機１００によれば、複数種類の設定パターンＰ１〜Ｐ４と複数種類の認証値Ａ１〜Ａ４とを一対一に対応付けておき、主制御部２０１が今回の設定パターンＰとなるように、次回の設定パターンＰに対応した認証値Ａを設定して複数種類の認証情報１０２０を生成し、該複数種類の認証情報１０２０を中間部２０２Ａに送信するようにしたことから、中間部２０２Ａが複数種類の認証情報１０２０に設定された有効な認証値Ａの設定パターンＰ１〜Ｐ４に基づいて主制御部２０１の認証を行うことで、不正な解析者が複数種類の認証情報１０２０を解析するのは困難となり、不正な解析者が認証情報１０２０を不正に利用することを防止でき且つ不正解析者によってデータが不正に利用されたことを中間部２０２Ａで検知することができる。さらに、複数種類の認証情報１０２０の数を増やすことで、設定パターンＰ１〜Ｐ４の数も増やすことができるため、認証強度を高めることができる。また、中間部２０２Ａがその認証値Ａに対応した設定パターンを期待値Ｂから特定して、次回の設定パターンＰ１〜Ｐ４とすることで、ぱちんこ遊技機１００における設定パターンＰ１〜Ｐ４の切り替えを不正な解析者が解析するのをより一層困難とすることができる。さらに、複数種類の認証値Ａは予め記憶しておくことができるため、認証情報１０２０の生成時に複雑な演算を行う必要がないため、主制御部２０１の処理負担の増加を防止できる。中間部２０２Ａが主制御部２０１に対する認証処理を行い、その中間認証結果を周辺部２０２Ｂに送信するようにしたことから、周辺部２０２Ｂは認証処理を行わずに中間認証結果を参照するだけで良いため、周辺部２０２ＢのＣＰＵ２４１の処理付加を軽減することができる。従って、複雑な演算を用いることなく、主制御部２０１から周辺部２０２Ｂに送信されるデータが不正制御に利用されることを防止し且つ周辺部２０２ＢのＣＰＵ２４１の処理負荷を軽減することができる。また、認証処理の複雑化を図っても、周辺部２０２Ｂによる演出処理に影響することはないため、セキュリティの向上及び遊技の興趣向上の双方を図ることができる。
【０２００】
また、上述したぱちんこ遊技機１００において、複数種類の認証情報１０２０に対して複数の有効な認証値Ａの設定を可能としたことから、主制御部２０１と中間部２０２Ａとの間で用いる設定パターンＰの数を増加させることができるため、不正な解析者が複数種類の認証情報１０２０を解析するのはより一層困難となり、不正な解析者が認証情報１０２０を不正に利用することを防止でき且つ不正解析者によってデータが不正に利用されたことを周辺部で検知することができる。
【０２０１】
さらに、上述したぱちんこ遊技機１００において、複数種類の認証情報１０２０の全てに対して無効な認証データの設定を可能とし、その場合は初期の設定パターンを次回の設定パターンＰとするようにしたことから、設定パターンＰの切り替えの解析をより一層困難とすることができるため、不正利用の防止且つ検知の精度向上を図ることができる。
【０２０２】
また、上述したぱちんこ遊技機１００において、主制御部２０１が設定パターンＰによって規定された複数種類の認証情報１０２０の順番で該複数種類の認証情報１０２０を中間部２０２Ａに送信するようにすれば、中間部２０２Ａは複数種類の認証情報１０２０の各々に設定された認証データの有効、無効のパターンとその順番に基づいて主制御部２０１の認証を行うことができるため、複雑な演算を用いることなく、認証精度の向上を図ることができる。
【０２０３】
さらに、上述したぱちんこ遊技機１００において、主制御部２０１が生成した複数種類の認証情報１０２０を不規則な順番で中間部２０２Ａに送信するようにすれば、不正な解析者が複数種類の認証情報１０２０を解析するのはより一層困難となり、不正な解析者が認証情報１０２０を不正に利用することを防止でき且つ不正解析者によってデータが不正に利用されたことを中間部２０２Ａで検知することができる。
【０２０４】
なお、本実施形態で説明した主制御部及び周辺部の制御方法は、予め用意されたプログラムをパーソナル・コンピュータやワークステーション等のコンピュータで実行することにより実現することができる。このプログラムは、ハードディスク、ＣＤ−ＲＯＭ、ＭＯ、ＤＶＤ、等のコンピュータで読み取り可能な記録媒体に記録され、コンピュータによって記録媒体から読み出されることによって実行される。また、このプログラムは、インターネット等のネットワークを介して配布することが可能な電送媒体であってもよい。
【産業上の利用可能性】
【０２０５】
以上のように、本発明は、主制御部への不正が懸念される遊技機やその遊技機に搭載される制御基板に有用であり、特に、ぱちんこ遊技機、スロット遊技機、雀球遊技機、その他各種の遊技機に適用することができる。これらの遊技機においても、上記各実施の形態と同様に構成することにより、上記各実施の形態と同様の効果を得ることができる。
【符号の説明】
【０２０６】
１００  ぱちんこ遊技機
２０１  主制御部
２０２Ａ  中間部
２０２Ｂ  周辺部（演出制御部）
３１０  主制御基板
３１１  データ記憶部
３１２  決定部
３１３  選択部
３１４  認証値抽出部
３１５  認証情報生成部
３１６  主制御側送信部
３３０  周辺基板
３３１  中間側受信部
３３２  中間側記憶部
３３３  有効判定部
３３４  中間認証結果データ生成部
３３５  中間側送信部
３３６  特定部
３５１  周辺側受信部
３５２  処理部
１０２０  認証情報
【図１】
2012029777.tif 000003
【図２】
2012029777.tif 000004
【図３】
2012029777.tif 000005
【図４】
2012029777.tif 000006
【図５】
2012029777.tif 000007
【図６】
2012029777.tif 000008
【図７】
2012029777.tif 000009
【図８】
2012029777.tif 000010
【図９】
2012029777.tif 000011
【図１０】
2012029777.tif 000012
【図１１】
2012029777.tif 000013
【図１２】
2012029777.tif 000014
【図１３】
2012029777.tif 000015
【図１４】
2012029777.tif 000016
【図１５】
2012029777.tif 000017
【図１６】
2012029777.tif 000018
【図１７】
2012029777.tif 000019
【図１８】
2012029777.tif 000020
【図１９】
2012029777.tif 000021
【図２０】
2012029777.tif 000022
【図２１】
2012029777.tif 000023
【図２２】
2012029777.tif 000024
【図２３】
2012029777.tif 000025
【図２４】
2012029777.tif 000026
【図２５】
2012029777.tif 000027
【図２６】
2012029777.tif 000028